(57)【要約】  端末装置（ＵＥ）によって行われる方法が記載される。方法は、セル（単数または複数）の第２のセットの追加の接続制御メッセージを受信するステップを含み、接続制御メッセージは、セル（単数または複数）の第１のセットおよびセル（単数または複数）の第２のセットを用いてＵＥを構成するために用いられ、無線リソース制御（ＲＲＣ）接続再構成メッセージに含められる。方法は、ＲＲＣ接続再構成メッセージを受信したことに応答して、セル（単数または複数）の第２のセットのうちの１つのセルに対してランダムアクセス手順を行うステップも含む。
2016519875.tif 000002
【特許請求の範囲】
【請求項１】
端末装置（ＵＥ）によって行われる方法であって、前記方法は、
セル（単数または複数）の第２のセットの追加のための接続制御メッセージを受信するステップであって、前記接続制御メッセージは、セル（単数または複数）の第１のセットおよびセル（単数または複数）の前記第２のセットを用いて前記ＵＥを構成するために用いられ、無線リソース制御（ＲＲＣ）接続再構成メッセージに含められる、前記受信するステップと、
前記ＲＲＣ接続再構成メッセージを受信したことに応答して、セル（単数または複数）の前記第２のセットのうちの１つのセルに対してランダムアクセス手順を行うステップと
を備える、方法。
【請求項２】
ランダムアクセス手順を行うステップは、
ランダムアクセスプリアンブル・アイデンティティが前記接続制御メッセージ中に示される場合、セル（単数または複数）の前記第２のセットのうちの前記セルに対して非競合ベースのランダムアクセス手順を行うステップ、および
ランダムアクセスプリアンブル・アイデンティティが指示されない場合、セル（単数または複数）の前記第２のセットのうちの前記セルに対して競合ベースのランダムアクセス手順を行うステップ
を備える、請求項１に記載の方法。
【請求項３】
前記接続制御メッセージは、セル（単数または複数）の第２のセットの追加およびセル（単数または複数）の第２のセットにおけるハンドオーバのうちの少なくとも１つを行うように前記ＵＥに指示する、請求項１に記載の方法。
【請求項４】
基地局装置（ｅＮＢ）によって行われる方法であって、前記方法は、
セル（単数または複数）の第１のセットに対するセル（単数または複数）の第２のセットの追加のための接続制御メッセージを送信するステップであって、前記接続制御メッセージは、セル（単数または複数）の第１のセットおよびセル（単数または複数）の前記第２のセットを用いて端末装置（ＵＥ）を構成するために用いられ、無線リソース制御（ＲＲＣ）接続再構成メッセージに含められ、セル（単数または複数）の前記第２のセットのうちの１つのセルに対してランダムアクセス手順を行うように前記ＵＥに指示する、前記送信するステップ
を備える、方法。
【請求項５】
前記接続制御メッセージは、ランダムアクセスプリアンブル・アイデンティティが前記接続制御メッセージに含まれるかどうかを示す、請求項４に記載の方法。
【請求項６】
接続制御メッセージを取得するステップをさらに備える、請求項４に記載の方法。
【請求項７】
前記ｅＮＢは、１次基地局装置（ＰｅＮＢ）であり、接続制御メッセージを取得するステップは、２次基地局装置（ＳｅＮＢ）から接続制御メッセージを受信するステップを備え、前記接続制御メッセージは、端末装置（ＵＥ）へ送信される、請求項６に記載の方法。
【請求項８】
前記ｅＮＢは、２次基地局装置（ＳｅＮＢ）であり、接続制御メッセージを取得するステップは、接続制御メッセージを生成するステップを備え、前記接続制御メッセージは、１次基地局装置（ＰｅＮＢ）へ送信される、請求項６に記載の方法。
【請求項９】
前記接続制御メッセージは、セル（単数または複数）の第２のセットの追加およびセル（単数または複数）の第２のセットにおけるハンドオーバのうちの少なくとも１つを行うように前記ＵＥに指示する、請求項４に記載の方法。
【請求項１０】
端末装置（ＵＥ）であって、
プロセッサと
前記プロセッサと電子通信を行うメモリとを備え、前記メモリに記憶された命令は、
セル（単数または複数）の第２のセットの追加のための接続制御メッセージを受信し、前記接続制御メッセージは、セル（単数または複数）の第１のセットおよびセル（単数または複数）の前記第２のセットを用いて前記ＵＥを構成するために用いられ、無線リソース制御（ＲＲＣ）接続再構成メッセージに含められ、
前記ＲＲＣ接続再構成メッセージを受信したことに応答して、セル（単数または複数）の前記第２のセットのうちの１つのセルに対してランダムアクセス手順を行う
ために実行可能である、
ＵＥ。
【請求項１１】
ランダムアクセス手順を行うために実行可能な前記命令は、
ランダムアクセスプリアンブル・アイデンティティが前記接続制御メッセージ中に示される場合、セル（単数または複数）の前記第２のセットのうちの前記セルに対して非競合ベースのランダムアクセス手順を行い、
ランダムアクセスプリアンブル・アイデンティティが示されない場合、セル（単数または複数）の前記第２のセットのうちの前記セルに対して競合ベースのランダムアクセス手順を行う
ためにさらに実行可能である、
請求項１０に記載のＵＥ。
【請求項１２】
前記接続制御メッセージは、セル（単数または複数）の第２のセットの追加およびセル（単数または複数）の第２のセットにおけるハンドオーバのうちの少なくとも１つを行うように前記ＵＥに指示する、請求項１０に記載のＵＥ。
【請求項１３】
基地局装置（ｅＮＢ）であって、
プロセッサと、
前記プロセッサと電子通信を行うメモリとを備え、前記メモリに記憶された命令は、
セル（単数または複数）の第１のセットに対するセル（単数または複数）の第２のセットの追加のための接続制御メッセージを送信し、前記接続制御メッセージは、セル（単数または複数）の第１のセットおよびセル（単数または複数）の前記第２のセットを用いて端末装置（ＵＥ）を構成するために用いられ、無線リソース制御（ＲＲＣ）接続再構成メッセージに含められ、セル（単数または複数）の前記第２のセットのうちの１つのセルに対してランダムアクセス手順を行うように前記ＵＥに指示する
ために実行可能である、
ｅＮＢ。
【請求項１４】
前記接続制御メッセージは、ランダムアクセスプリアンブル・アイデンティティが前記接続制御メッセージに含まれるかどうかを示す、請求項１３に記載のｅＮＢ。
【請求項１５】
前記命令は、接続制御メッセージを取得するためにさらに実行可能である、請求項１３に記載のｅＮＢ。
【請求項１６】
前記ｅＮＢは、１次基地局装置（ＰｅＮＢ）であり、接続制御メッセージを取得するために実行可能な前記命令は、２次基地局装置（ＳｅＮＢ）から接続制御メッセージを受信するために実行可能であり、前記接続制御メッセージは、端末装置（ＵＥ）へ送信される、請求項１５に記載のｅＮＢ。
【請求項１７】
前記ｅＮＢは、２次基地局装置（ＳｅＮＢ）であり、接続制御メッセージを取得するために実行可能な前記命令は、接続制御メッセージを生成するために実行可能であり、前記接続制御メッセージは、１次基地局装置（ＰｅＮＢ）へ送信される、請求項１５に記載のｅＮＢ。
【請求項１８】
前記接続制御メッセージは、セル（単数または複数）の第２のセットの追加およびセル（単数または複数）の第２のセットにおけるハンドオーバのうちの少なくとも１つを行うように前記ＵＥに指示する、請求項１３に記載のｅＮＢ。
【発明の詳細な説明】
【技術分野】
【０００１】
本開示は、一般に、通信システムに関する。より具体的には、本開示は、複数の無線接続を確立するためのシステムおよび方法に関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【発明の概要】
【発明が解決しようとする課題】
【０００３】
ワイヤレス通信デバイスが進歩するにつれて、通信容量、速度、フレキシビリティおよび効率の向上が求められてきた。しかしながら、通信容量、速度、フレキシビリティおよび効率の向上がいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび効率を提供する。この考察によって示されるように、通信のフレキシビリティおよび効率を向上させるシステムおよび方法が有益であろう。
【課題を解決するための手段】
【０００５】
本発明によれば、端末装置（ＵＥ：ｕｓｅｒ  ｅｑｕｉｐｍｅｎｔ）によって行われる方法が提供され、方法は、
セル（単数または複数）の第２のセットの追加のための接続制御メッセージを受信するステップであって、接続制御メッセージは、セル（単数または複数）の第１のセットおよびセル（単数または複数）の第２のセットを用いてＵＥを構成するために用いられ、無線リソース制御（ＲＲＣ：ｒａｄｉｏ  ｒｅｓｏｕｒｃｅ  ｃｏｎｔｒｏｌ）接続再構成メッセージに含められる、受信するステップと、
ＲＲＣ接続再構成メッセージを受信したことに応答して、セル（単数または複数）の第２のセットのうちの１つのセルに対してランダムアクセス手順を行うステップと
を備える。
【０００６】
本発明によれば、基地局装置（ｅＮＢ：ｅｖｏｌｖｅｄ  Ｎｏｄｅ  Ｂ）によって行われる方法が提供され、方法は、
セル（単数または複数）の第１のセットに対するセル（単数または複数）の第２のセットの追加のための接続制御メッセージを送信するステップであって、接続制御メッセージは、セル（単数または複数）の第１のセットおよびセル（単数または複数）の第２のセットを用いて端末装置（ＵＥ）を構成するために用いられ、無線リソース制御（ＲＲＣ）接続再構成メッセージに含められ、セル（単数または複数）の第２のセットのうちの１つのセルに対してランダムアクセス手順を行うようにＵＥに指示する、送信するステップ
を備える。
【０００７】
本発明によれば、端末装置（ＵＥ）が提供され、ＵＥは、
プロセッサと、
プロセッサと電子通信を行うメモリとを備え、メモリに記憶された命令は、
セル（単数または複数）の第２のセットの追加のための接続制御メッセージを受信し、接続制御メッセージは、セル（単数または複数）の第１のセットおよびセル（単数または複数）の第２のセットを用いてＵＥを構成するために用いられ、無線リソース制御（ＲＲＣ）接続再構成メッセージに含められ、
ＲＲＣ接続再構成メッセージを受信したことに応答して、セル（単数または複数）の第２のセットのうちの１つのセルに対してランダムアクセス手順を行う
ために実行可能である。
【０００８】
本発明によれば、基地局装置（ｅＮＢ）が提供され、ｅＮＢは、
プロセッサと、
プロセッサと電子通信を行うメモリとを備え、メモリに記憶された命令は、
セル（単数または複数）の第１のセットに対するセル（単数または複数）の第２のセットの追加のための接続制御メッセージを送信し、接続制御メッセージは、セル（単数または複数）の第１のセットおよびセル（単数または複数）の第２のセットを用いて端末装置（ＵＥ）を構成するために用いられ、無線リソース制御（ＲＲＣ）接続再構成メッセージに含められ、セル（単数または複数）の第２のセットのうちの１つのセルに対してランダムアクセス手順を行うようにＵＥに指示する
ために実行可能である。
【図面の簡単な説明】
【０００９】
【図１】複数の無線接続を確立するためのシステムおよび方法が実装された１つ以上の基地局装置（ｅＮＢ）および１つ以上の端末装置（ＵＥ）の一構成を示すブロック図である。
【図２】ＵＥによって複数の無線接続を確立するための方法の一構成を示すフロー図である。
【図３】ｅＮＢによって複数の無線接続を確立するための方法の一構成を示すフロー図である。
【図４】非競合ベースのランダムアクセス手順の一構成を示すスレッド図である。
【図５】競合ベースのランダムアクセス手順の一構成を示すスレッド図である。
【図６】ＵＥによって複数の無線接続を確立するための方法の別の構成を示すフロー図である。
【図７】ｅＮＢによって複数の無線接続を確立するための方法の別の構成を示すフロー図である。
【図８】複数の無線接続を確立するためのシステムおよび方法が実装された進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）アーキテクチャの一構成を示すブロック図である。
【図９】ユーザプレーン・プロトコルスタックの一構成を示すブロック図である。
【図１０】制御プレーン・プロトコルスタックの一構成を示すブロック図である。
【図１１】第１のセルおよび第２のセルがコロケートされ、オーバーレイされて、ほぼ等しいカバレッジを有する、キャリアアグリゲーション構成を示すブロック図である。
【図１２】第１のセルおよび第２のセルがコロケートされ、オーバーレイされるが、第２のセルの方が小さいカバレッジを有する、キャリアアグリゲーション構成を示すブロック図である。
【図１３】第１のセルおよび第２のセルがコロケートされるが、第２のセルのアンテナが第１のセルのセル境界へ向けられた、キャリアアグリゲーション構成を示すブロック図である。
【図１４】第１のセルがマクロカバレッジを提供し、第２のセル上のリモートラジオヘッド（ＲＲＨ：ｒｅｍｏｔｅ  ｒａｄｉｏ  ｈｅａｄ）がホットスポットにおけるスループットを改善するために用いられる、キャリアアグリゲーション構成を示すブロック図である。
【図１５】周波数選択リピータが配備されたキャリアアグリゲーション構成を示すブロック図である。
【図１６】マクロカバレッジ有りおよび無しのスモールセルに関する複数カバレッジのシナリオを示すブロック図である。
【図１７】複数の無線接続を確立するためのシステムおよび方法が実装されたＥ−ＵＴＲＡＮおよびＵＥの一構成を示すブロック図である。
【図１８】複数の無線接続を確立するためのシステムおよび方法が実装されたｅＮＢおよびＵＥの一構成を示すスレッド図である。
【図１９】複数の無線接続を確立するためのシステムおよび方法が実装されたｅＮＢおよびＵＥの別の構成を示すスレッド図である。
【図２０】ＵＥにおいて利用される様々なコンポーネントを示す。
【図２１】ｅＮＢにおいて利用される様々なコンポーネントを示す。
【図２２】複数の無線接続を確立するためのシステムおよび方法が実装されたＵＥの一構成を示すブロック図である。
【図２３】複数の無線接続を確立するためのシステムおよび方法が実装されたｅＮＢの一構成を示すブロック図である。
【発明を実施するための形態】
【００１０】
ＵＥによって複数の無線接続を確立するための方法が記載される。方法は、ＵＥと進化型ユニバーサル地上無線アクセス・ネットワーク（Ｅ−ＵＴＲＡＮ）上の第１のポイントとの間の１次無線接続を確立するステップを含む。方法は、Ｅ−ＵＴＲＡＮ上の第２のポイントとの２次無線接続のための接続制御メッセージを受信するステップも含む。方法は、接続制御メッセージを受信したことに応答して、２次無線接続のためのランダムアクセス手順を行うステップをさらに含む。
【００１１】
ランダムアクセス手順を行うステップは、専用ランダムアクセスチャネル（ＲＡＣＨ：ｒａｎｄｏｍ  ａｃｃｅｓｓ  ｃｈａｎｎｅｌ）プリアンブルが接続制御メッセージ中に示される場合、２次無線接続のための非競合ベースのランダムアクセス手順を行うことを含む。ランダムアクセス手順を行うステップは、専用ＲＡＣＨプリアンブルが示されない場合、２次無線接続のための競合ベースのランダムアクセス手順を行うことも含む。
【００１２】
接続制御メッセージは、２次無線接続において接続の追加およびハンドオーバのうちの少なくとも１つを行うようにＵＥに指示する。接続制御メッセージは、第２の無線接続のためのセル無線ネットワーク一時識別子（Ｃ−ＲＮＴＩ：Ｃｅｌｌ  ｒａｄｉｏ  ｎｅｔｗｏｒｋ  ｔｅｍｐｏｒａｒｙ  ｉｄｅｎｔｉｆｉｅｒ）、ターゲットセルの物理セル識別子、セキュリティ・アルゴリズム識別子および専用ＲＡＣＨプリアンブル・アイデンティティのうちの少なくとも１つを含む。
【００１３】
方法は、２次無線接続における接続の追加およびハンドオーバのうちの少なくとも１つを確認するために接続再構成完了メッセージを送信するステップも含む。第１のポイントは、１次基地局装置（ＰｅＮＢ：ｐｒｉｍａｙ  ｅｖｏｌｖｅｄ  Ｎｏｄｅ  Ｂ）および２次基地局装置（ＳｅＮＢ：ｓｅｃｏｎｄａｒｙ  ｅｖｏｌｖｅｄ  Ｎｏｄｅ  Ｂ）のうちの少なくとも１つである。
【００１４】
ｅＮＢによって複数の無線接続を確立するための方法が記載される。方法は、２次無線接続のための接続制御メッセージを無線リソース制御（ＲＲＣ）接続再構成メッセージで送信するステップを含む。
【００１５】
接続制御メッセージは、専用ＲＡＣＨプリアンブルが接続制御メッセージに含まれるかどうかを示す。方法は、接続制御メッセージを取得するステップを含む。
【００１６】
ｅＮＢは、ＰｅＮＢであってもよい。接続制御メッセージを取得するステップは、ＳｅＮＢから接続制御メッセージを受信することを含む。接続制御メッセージは、ＵＥへ送信される。方法は、測定報告および無線リソース管理情報に基づく接続要求メッセージを送信するステップを含む。接続制御メッセージは、接続要求メッセージに基づく。
【００１７】
ｅＮＢは、ＳｅＮＢであってもよい。接続制御メッセージを取得するステップは、接続制御メッセージを生成することを含む。接続制御メッセージは、ＰｅＮＢへ送信される。方法は、測定報告および無線リソース管理情報に基づく接続要求メッセージを受信するステップを含む。接続制御メッセージは、接続要求メッセージに基づく。
【００１８】
接続制御メッセージは、２次無線接続において接続の追加およびハンドオーバのうちの少なくとも１つを行うようにＵＥに指示する。接続制御メッセージは、第２の無線接続のためのＣ−ＲＮＴＩ、ターゲットセルの物理セル識別子、セキュリティ・アルゴリズム識別子および専用ＲＡＣＨプリアンブル・アイデンティティのうちの少なくとも１つを含む。
【００１９】
複数の無線接続を確立するためのＵＥが記載される。ＵＥは、プロセッサと、プロセッサと電子通信を行うメモリとを含む。メモリに記憶された命令は、ＵＥとＥ−ＵＴＲＡＮ上の第１のポイントとの間の１次無線接続を確立するために実行可能である。命令は、Ｅ−ＵＴＲＡＮ上の第２のポイントとの２次無線接続のための接続制御メッセージを受信するためにも実行可能である。命令は、接続制御メッセージを受信したことに応答して、２次無線接続のためのランダムアクセス手順を行うためにも実行可能である。
【００２０】
複数の無線接続を確立するためのｅＮＢが記載される。ｅＮＢは、プロセッサと、プロセッサと電子通信を行うメモリとを含む。メモリに記憶された命令は、２次無線接続のための接続制御メッセージをＲＲＣ接続再構成メッセージで送信するために実行可能である。
【００２１】
「３ＧＰＰ」とも呼ばれる、第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術報告を定めることを目指した連携合意である。３ＧＰＰは、次世代モバイル・ネットワーク、システムおよびデバイスに関する仕様を定める。
【００２２】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびＥ−ＵＴＲＡＮにサポートおよび仕様を提供するために修正された。
【００２３】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０、１１および／または１２）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２４】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載するときに、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれる。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２５】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。そのうえ、「基地局」の一例は、アクセスポイントである。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００２６】
本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるために規格化または規制団体によって仕様が定められた任意の通信チャネルであり、ｅＮＢとＵＥとの間の通信に用いることが認可されたバンド（例えば、周波数バンド）として３ＧＰＰによりそのすべてまたはそのサブセットが採用されることに留意すべきである。「構成セル（ｃｏｎｆｉｇｕｒｅｄ  ｃｅｌｌ）」は、ＵＥが認識しており、情報を送信または受信することがｅＮＢによって許可されたセルである。「構成セル（単数または複数）」は、在圏セル（単数または複数）であってもよい。ＵＥは、すべての構成セル上でシステム情報を受信して必要な測定を行う。「構成セル（単数または複数）」は、１つのプライマリセルと、０、１つまたはそれ以上のセカンダリセル（単数または複数）からなる。「アクティブ化されたセル（ａｃｔｉｖａｔｅｄ  ｃｅｌｌ）」は、ＵＥが送受信を行っている構成セルである。すなわち、アクティブ化されたセルは、ＵＥがＰＤＣＣＨをモニタする対象となるセルであり、下りリンク送信の場合には、ＵＥが物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない構成セルである。留意すべきは、「セル」が異なる次元の観点から記述されることである。例えば、「セル」は、時間、空間（例えば、地理）および周波数特性を有する。
【００２７】
本明細書では、用語「接続」は、ＵＥとＥ−ＵＴＲＡＮとの間の通信リンクを指す。本明細書では、用語「無線接続」、「接続」、「無線インターフェース」および「インターフェース」が同義で用いられる。
【００２８】
本明細書に開示されるシステムおよび方法は、複数の無線接続を確立するためのデバイスを記載する。これは、Ｅ−ＵＴＲＡＮのコンテキストで行われる。例えば、本明細書に開示されるシステムおよび方法は、ＵＥとＥ−ＵＴＲＡＮ上の２つ以上のｅＮＢとの間の複数の無線接続を確立する。一構成において、２つ以上のｅＮＢは、異なるスケジューラを有する。
【００２９】
本明細書に記載されるシステムおよび方法は、キャリアアグリゲーションを強化する。キャリアアグリゲーションでは、（例えば、１００メガヘルツ（ＭＨｚ）までの）より広い送信バンド幅をサポートするために２つ以上のコンポーネントキャリアが集約される。一例では、キャリアアグリゲーションは、ＵＥに利用可能な有効バンド幅を増加させるために用いられる。従来のキャリアアグリゲーションでは、単一のｅＮＢが１つのＵＥに対して複数の在圏セルを提供することが仮定される。２つ以上のセルが集約される（例えば、１つのマクロセルが複数のリモートラジオヘッド（ＲＲＨ）セルと集約される）シナリオにおいても、これらのセルは、単一のｅＮＢによって制御される（スケジュールされる）。しかしながら、スモールセル配備のシナリオでは、各ノード（例えば、ｅＮＢ、ＲＲＨなど）は、それ自体の独立したスケジューラを有する。両方のノードの無線リソースを効率的に利用するために、ＵＥは、異なるスケジューラを有する２つ以上のノードに接続する。
【００３０】
一構成において、異なるスケジューラを有する２つのノード（例えば、ｅＮＢ）に接続するＵＥのために、ＵＥとＥ−ＵＴＲＡＮとの間のマルチ接続性が利用される。例えば、リリース１１の動作に加えて、リリース１２規格に従って動作するＵＥは、（二重接続性、ｅＮＢ間キャリアアグリゲーション、マルチフロー、マルチセル・クラスタ、マルチＵｕなどと呼ばれる）マルチ接続性を用いて構成される。ＵＥは、そうするように構成された場合、複数のＵｕインターフェースを用いてＥ−ＵＴＲＡＮに接続する。例として、ＵＥは、１つの無線インターフェース（例えば、無線接続）を用いることにより１つ以上の追加の無線インターフェース（例えば、無線接続）を確立するように構成される。以下では、１つのノードは１次ｅＮＢ（ＰｅＮＢ：ｐｒｉｍａｒｙ  ｅＮＢ）と呼ばれ、別のノードは２次ｅＮＢ（ＳｅＮＢ：ｓｅｃｏｎｄａｒｙ  ｅＮＢ）と呼ばれる。
【００３１】
マルチ接続性のシナリオでは、無線リソース管理機能は、Ｅ−ＵＴＲＡＮの各ノードに位置する。それに応じて、１つのノードは、ＵＥを構成する方法についていくらかの自由度を有する。例えば、１つのノードのためのリソース（例えば、スケジューリング、ランダムアクセス・リソースおよびＣ−ＲＮＴＩ）がそのノードによって管理できる必要がある。複数の無線接続を確立するステップは、本明細書に開示されるシステムおよび方法に記載されるように、両方のノードの無線リソースを効率的に利用する。
【００３２】
本明細書に開示されるシステムおよび方法の様々な例が図面を参照して次に記載される。図面中、同様の参照番号は、機能的に類似した要素を示す。本明細書において図面に一般的に記載され、説明されるシステムおよび方法は、多種多様に異なる実装に配置し、かつ設計することができるであろう。従って、図面に表現されるいくつかの実装の以下のさらに詳細な記載は、特許請求の範囲を限定するものではなく、システムおよび方法を単に代表するに過ぎない。
【００３３】
図１は、複数の接続を確立するためのシステムおよび方法が実装された１つ以上の基地局装置（ｅＮＢ）１６０および１つ以上の端末装置（ＵＥ）１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。留意すべきは、本明細書に記載されるＵＥの１つ以上がいくつかの構成では単一のデバイスに実装されてもよいことである。加えてまたは代わりに、本明細書に記載されるｅＮＢ１６０の１つ以上がいくつかの構成では単一のデバイスに実装されてもよい。図１のコンテキストにおいて、例として、単一のデバイスは、本明細書に記載されるシステムおよび方法による１つ以上のＵＥ１０２を含む。加えてまたは代わりに、本明細書に記載されるシステムおよび方法による１つ以上のｅＮＢ１６０が単一のデバイスまたは複数のデバイスとして実装されてもよい。
【００３４】
ＵＥ１０２およびｅＮＢ１６０は、相互に通信するために１つ以上のチャネル１１９、１２１を用いる。例えば、ＵＥ１０２は、１つ以上の上りリンク・チャネル１２１を用いてｅＮＢ１６０へ情報またはデータを送信する。上りリンク・チャネル１２１の例は、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）および物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）などを含む。１つ以上のｅＮＢ１６０も、例として、１つ以上の下りリンク・チャネル１１９を用いて１つ以上のＵＥ１０２へ情報またはデータを送信する。下りリンク・チャネル１１９の例は、ＰＤＣＣＨ、ＰＤＳＣＨなどを含む。他の種類のチャネルが用いられてもよい。
【００３５】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００３６】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００３７】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶される、受信されたペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００３８】
本明細書では、用語「モジュール」は、特定の要素またはコンポーネントがハードウェア、ソフトウェア、またはハードウェアおよびソフトウェアの組み合わせで実装されることを意味する。しかしながら、留意すべきは、本明細書に「モジュール」として示される任意の要素が代わりにハードウェアで実装されてもよいことである。例えば、ｅＮＢオペレーション・モジュール１８２は、ハードウェア、ソフトウェアまたは両方の組み合わせで実装されてもよい。
【００３９】
一般に、ＵＥオペレーション・モジュール１２４は、ＵＥ１０２が１つ以上のｅＮＢ１６０と通信することを可能にする。ＵＥオペレーション・モジュール１２４は、ＵＥ無線接続確定モジュール１２８、ランダムアクセス手順モジュール１２６およびＣ−ＲＮＴＩインタプリタ１３０のうちの１つ以上を含む。
【００４０】
ＵＥ無線接続確定モジュール１２８は、ＵＥ１０２とＥ−ＵＴＲＡＮ上の第１のポイントとの間の１次無線接続を確立する。例えば、第１のポイントは、Ｅ−ＵＴＲＡＮに属する第１のｅＮＢ１６０を含む。一構成において、第１のｅＮＢ１６０は、ＰｅＮＢである。例えば、ＵＥ１０２が接続を追加しているときに、第１のポイント（例えば、第１のｅＮＢ１６０）は、ＰｅＮＢである。ＵＥ無線接続確定モジュール１２８は、Ｕｕインターフェースを用いて第１のポイント（例えば、第１のｅＮＢ１６０）に接続する。Ｕｕインターフェースは、１次Ｕｕインターフェースとも呼ばれる。Ｕｕインターフェースは、ＵＥ１０２とＰｅＮＢとの間の無線接続である。
【００４１】
ＵＥ１０２は、ＵＥ１０２とＥ−ＵＴＲＡＮ上の第２のポイントとの間の第２の無線接続を確立するように構成される。例えば、第２のポイントは、Ｅ−ＵＴＲＡＮに属する第２のｅＮＢ１６０を含む。一構成において、第２のｅＮＢ１６０は、例えば、ＵＥ１０２が接続を追加しているときに、ＳｅＮＢである。一構成において、第１のポイント（例えば、第１のｅＮＢ１６０）および第２のポイント（例えば、第２のｅＮＢ１６０）は、異なるスケジューラを有する。ＵＥ無線接続確定モジュール１２８は、Ｕｕｘインターフェースを用いて第２のｅＮＢ１６０に接続する。Ｕｕｘインターフェースは、２次Ｕｕインターフェースとも呼ばれる。
【００４２】
いくつかの構成では、ある一定の手順がソースＳｅＮＢにおけるセル（単数または複数）とターゲットＳｅＮＢにおけるセル（単数または複数）との間のハンドオーバ手順中に行われる。例えば、ＵＥ１０２は、最初に、第２のポイントとしてのソースＳｅＮＢにおけるセル（単数または複数）に接続する。ターゲットＳｅＮＢにおけるセル（単数または複数）に（例えば、ランダムアクセスを通じて）首尾よくアクセスした後、ターゲットＳｅＮＢとの接続が完了する。ＵＥ１０２は、第２のポイントとしてのターゲットＳｅＮＢにおけるセル（単数または複数）に接続する。例えば、ターゲットＳｅＮＢから信号を受信して、ランダムアクセスプリアンブルを送信した後、ＵＥ１０２は、第２のポイントとしてのターゲットＳｅＮＢにおけるセル（単数または複数）への接続を完了する。いくつかの実装において、これは、２次無線接続におけるハンドオーバである。これらの実装では、ポイントが追加されず、むしろ置き換えられる。
【００４３】
２次無線接続のためのハンドオーバ手順のいくつかのタイプがある。一例は、セル内ハンドオーバであり、ＳｅＮＢにおけるセルがハンドオーバ手順によって同じセルへアップデートされる。別の例は、ＳｅＮＢ内ハンドオーバであり、ＳｅＮＢにおけるセルがＳｅＮＢにおける別のセルへ切り替えられる。さらに別の例は、ＳｅＮＢ間ハンドオーバであり、ＳｅＮＢにおけるセルが別のＳｅＮＢにおける別のセルへ切り替えられる。それに応じて、ターゲットＳｅＮＢは、ソースＳｅＮＢと同じであってもなくてもよい。
【００４４】
ＵＥ１０２は、Ｅ−ＵＴＲＡＮとの複数のＵｕインターフェースをＵＥ１０２が認識している限り、ＰｅＮＢおよびＳｅＮＢを認識している必要はない。一構成において、ＵＥ１０２は、ｅＮＢ１６０がＥ−ＵＴＲＡＮ上のポイントであると考える。別の構成では、ＵＥ１０２は、Ｅ−ＵＴＲＡＮとの複数のＵｕインターフェースがＥ−ＵＴＲＡＮ上の複数のポイントとの接続であると考える。別の構成では、Ｅ−ＵＴＲＡＮは、同じか、または異なるｅＮＢ１６０との複数のＵｕインターフェースを提供する。例として、ＰｅＮＢおよびＳｅＮＢが同じｅＮＢ１６０であってもよい。複数のＵｕインターフェース（例えば、マルチ接続性）は、単一のｅＮＢ１６０によって達成される。言い換えれば、一構成において、本明細書に記載されるシステムおよび方法は、単一のｅＮＢ１６０または単一のスケジューラによって達成される。ＵＥ１０２は、１つより多いＵｕｘインターフェース（例えば、Ｕｕ１、Ｕｕ２、Ｕｕ３など）を接続することが可能である。各Ｕｕインターフェースは、キャリアアグリゲーションを行うために用いられる。それに応じて、ＵＥ１０２は、キャリアアグリゲーションのシナリオでは１つより多い在圏セルのセットを用いて構成される。
【００４５】
留意すべきは、複数のＵｕインターフェースが記載されるが、インターフェースの定義によっては本明細書に記載されるシステムおよび方法が単一のＵｕインターフェースまたは単一の無線接続によって実現されることである。例えば、無線インターフェースは、ＵＥ１０２とＥ−ＵＴＲＡＮとの間のインターフェースとして定義される。この定義では、インターフェースは、ＵＥ１０２とｅＮＢ１６０との間のインターフェースではない。例えば、１つの無線インターフェースは、マルチ接続性を用いたＵＥ１０２とＥ−ＵＴＲＡＮとの間のインターフェースとして定義される。それに応じて、先に考察されたＵｕインターフェースおよびＵｕｘインターフェースは、複数のセルの異なる特性であると見なされてもよい。例として、Ｕｕインターフェースがセル（単数または複数）の第１のセットであり、Ｕｕｘインターフェースがセル（単数または複数）の第２のセットである。また、第１の無線インターフェースをセル（単数または複数）の第１のセットと言い換え、第２の無線インターフェースをセル（単数または複数）の第２のセットと言い換えることもできる。
【００４６】
ランダムアクセス手順モジュール１２６は、無線接続のためのランダムアクセス手順を行う。例えば、ランダムアクセス手順モジュール１２６は、２次無線接続のためのランダムアクセス手順を行う。いくつかの構成によれば、複数のランダムアクセス手順がトリガされる。いくつかの実装では、１つの無線接続のためのランダムアクセス手順が並行してまたは同時に別の無線接続のためのランダムアクセス手順であってもよい。ランダムアクセス手順は、無線接続のセルに対して行われる。
【００４７】
留意すべきは、単一接続性の構成においても、複数のランダムアクセス手順がトリガされることである。しかしながら、単一接続性の構成では、任意の時点で進行しているランダムアクセス手順は１つあるに過ぎない。ＵＥ１０２が無線接続において新しいランダムアクセス手順の要求を受信し、一方ではその無線接続において別のランダムアクセス手順がすでに進行している場合、進行中のランダムアクセス手順を続けるべきか、または新しいランダムアクセス手順から始めるべきかどうかを確定するのはＵＥ１０２に任される。
【００４８】
ランダムアクセス手順の例は、ランダムアクセスチャネル（ＲＡＣＨ）を通じてターゲットセルにアクセスすることである。ランダムアクセス手順モジュール１２６は、異なるタイプのランダムアクセス手順を行うことができる。例えば、ランダムアクセス手順モジュール１２６は、非競合ベースのランダムアクセス手順を行う。非競合ベースのランダムアクセス手順を行うステップは、ターゲットセルにアクセスするために、ランダムアクセスチャネルを通じて専用ランダムアクセスプリアンブルを利用することを含む。別の例では、ＵＥ１０２は、競合ベースのランダムアクセス手順を行う。競合ベースのランダムアクセス手順の例は、ランダムに選択されたプリアンブルを用いて、ランダムアクセスチャネルを通じてターゲットセルにアクセスすることを含む。非競合ベースのランダムアクセス手順および競合ベースのランダムアクセス手順に関するさらなる詳細は、図４および５の少なくとも１つに関連して示される。
【００４９】
いくつかの実装において、ＵＥ１０２が２次無線接続のための競合ベースのランダムアクセス手順または非競合ベースのランダムアクセス手順を行うかどうかは、受信されたメッセージに基づく。例えば、ＵＥ１０２は、接続制御メッセージを含むＲＲＣ接続再構成メッセージを受信する。接続制御メッセージは、専用ＲＡＣＨプリアンブル・アイデンティティ（例えば、ランダムアクセスプリアンブル・アイデンティティ）が接続制御メッセージに含まれるかどうか（例えば、専用ＲＡＣＨプリアンブルが接続制御メッセージ中に示されるかどうか）を示す。接続制御メッセージが専用ＲＡＣＨプリアンブル・アイデンティティを含む場合、ＵＥ１０２は、非競合ベースのランダムアクセス手順を行う。これに対して、接続制御メッセージが専用ＲＡＣＨプリアンブル・アイデンティティを含まない場合、ＵＥ１０２は、競合ベースのランダムアクセス手順を行う。
【００５０】
ランダムアクセス手順を行う例は、次のように示される。接続制御メッセージを含んだＲＲＣ接続再構成メッセージに応答して、ＵＥ１０２は、ランダムアクセス手順を行う。ＲＲＣ接続再構成メッセージ（例えば、ＲＲＣＣｏｎｎｅｃｔｉｏｎＲｅｃｏｎｆｉｇｕｒａｔｉｏｎ）は、ハンドオーバ・コマンド（例えば、ＭｏｂｉｌｉｔｙＣｏｎｔｒｏｌＩｎｆｏ（モビリティ制御情報））を運ぶ。ＲＲＣ接続再構成メッセージ（例えば、ＲＲＣＣｏｎｎｅｃｔｉｏｎＲｅｃｏｎｆｉｇｕｒａｔｉｏｎ）は、接続制御メッセージ（例えば、ＣｏｎｎｅｃｔｉｏｎＣｏｎｔｒｏｌＩｎｆｏ（接続制御情報））も運ぶ。リリース１１およびそれ以前によれば、ＲＲＣ接続再構成メッセージは、多くの目的、例えば、物理レイヤ・パラメータ、媒体アクセス制御（ＭＡＣ）レイヤ制御パラメータ、および１つ以上のＵＥ１０２構成パラメータなどのために用いられてきた。既知の仕様（例えば、リリース１１およびそれ以前）に従って実装されたときに、ＲＲＣ接続再構成メッセージは、レガシ・メッセージである。例えば、ＲＲＣ接続再構成メッセージがハンドオーバ・コマンドを含むときに、ＲＡＣＨは、単一の接続に対してトリガされる。しかしながら、本明細書に記載されるシステムおよび方法は、リリース１１およびそれ以前の振舞いに加えて接続制御メッセージを導入することに留意すべきである。
【００５１】
いくつかの実装において、ＲＲＣ接続再構成メッセージがハンドオーバ・コマンド（例えば、ＭｏｂｉｌｉｔｙＣｏｎｔｒｏｌＩｎｆｏ）を含む場合、ＵＥ１０２は、ハンドオーバ手順を行う。ハンドオーバ・コマンドには、専用ＲＡＣＨプリアンブルが含まれる。（ハンドオーバ・コマンドを含む）ＲＲＣ接続再構成メッセージに応答して、ＵＥ１０２は、ランダムアクセス手順を行う。いくつかの実装では、接続制御メッセージは、ハンドオーバ・コマンドとは異なる。例えば、ハンドオーバ・コマンドは、単一の無線接続のためのハンドオーバに用いられる。それに対して、接続制御メッセージは、２次無線接続および／または２次無線接続におけるハンドオーバを追加するために用いられる。
【００５２】
キャリアアグリゲーションでは、セカンダリセルの追加は、ＲＲＣ接続再構成メッセージによってＵＥ１０２へシグナリングされる。しかしながら、ＲＲＣ接続再構成メッセージがハンドオーバ・コマンドに含まないために、ＵＥ１０２がＲＲＣ接続再構成メッセージに応答してランダムアクセス手順をトリガしないことがある。必要ならば、セカンダリセルにおける上りリンク・タイムアラインメントを達成するために、ＵＥ１０２へランダムアクセス命令がシグナリングされる。２次無線接続の追加の場合、新たに追加されるセルは、異なるスケジューラによって管理され、ＵＥ１０２のためにすでに構成されたセルとは非同期であると思われるので、ランダムアクセスをトリガする方がよいであろう。
【００５３】
Ｃ−ＲＮＴＩインタプリタ１３０は、ＰＤＣＣＨまたはＥＰＤＣＣＨを復号する。ＰＤＣＣＨ（またはＥＰＤＣＣＨ）を復号するステップは、ＰＤＣＣＨ（またはＥＰＤＣＣＨ）を解釈することを含む。例は、次のように示される。ＵＥ１０２は、下りリンク制御情報（ＤＣＩ：ｄｏｗｎｌｉｎｋ  ｃｏｎｔｒｏｌ  ｉｎｆｏｒｍａｔｉｏｎ）を運ぶＰＤＣＣＨを受信する。各ＰＤＣＣＨ（または各ＥＰＤＣＣＨ）におけるＤＣＩは、ＤＣＩのフィールドを定義するＤＣＩフォーマットを用いる。いくつかの実装では、ＤＣＩとともに無線ネットワーク一時識別子（ＲＮＴＩ）（例えば、Ｃ−ＲＮＴＩ）が含められる。ＲＮＴＩ（例えば、Ｃ−ＲＮＴＩ）は、ＵＥ１０２を識別して、使用法を識別するために用いられる。ＲＮＴＩは、無線接続のためのリソースのスケジューリングにも用いられる。Ｅ−ＵＴＲＡＮとの単一接続性のために構成されたＵＥに関して、留意すべきは、ＵＥがすべての在圏セルに対して同じＣ−ＲＮＴＩを用いることである。リリース１１およびそれ以前では、Ｃ−ＲＮＴＩがＵＥ１０２へ割り当てられる。ＲＮＴＩ（例えば、Ｃ−ＲＮＴＩ）は、いくつかの使用法を有する。表（１）は、様々なＲＮＴＩ値を提示する。表（２）は、様々なＲＮＴＩ使用法、ならびに関連するトランスポートチャネルおよび論理チャネルを提示する。
【００５４】
【表１】
2016519875.tif 000003
【００５５】
【表２】
2016519875.tif 000004
2016519875.tif 000005
【００５６】
ＰＤＣＣＨに含まれるＣ−ＲＮＴＩの例は、次のように示される。ＤＣＩには巡回冗長検査（ＣＲＣ：ｃｙｃｌｉｃ  ｒｅｄｕｎｄａｎｃｙ  ｃｈｅｃｋ）が含まれる。ＣＲＣを用いてＤＣＩ送信に関する誤り検出が提供される。いくつかの実装において、Ｃ−ＲＮＴＩは、ＣＲＣで暗黙的に符号化される。ＣＲＣのパリティビットの数は１６である。ＣＲＣパリティビットを算出するためにペイロード全体が用いられる。いくつかの構成では、対応するＲＮＴＩ（例えば、Ｃ−ＲＮＴＩ）を用いてＣＲＣパリティビットがスクランブルされる。言い換えれば、ＣＲＣパリティビットは、ＲＮＴＩと「ＸＯＲがとられる」。この例では、Ｃ−ＲＮＴＩインタプリタ１３０がＰＤＣＣＨを復号（および解釈）する。ＰＤＣＣＨを解釈するステップは、ＣＲＣパリティビットをＣ−ＲＮＴＩから分離することを含む。いくつかの実装において、ＵＥ１０２の物理（ＰＨＹ）レイヤは、Ｃ−ＲＮＴＩによりスクランブルされたＣＲＣをもつＰＤＣＣＨ（またはＥＰＤＣＣＨ）を復号するようにＵＥ１０２の上位レイヤ（例えば、ＭＡＣサブレイヤまたは無線リソース制御（ＲＲＣ）サブレイヤ）によって構成される。ＤＣＩは、また、下りリンクまたは上りリンク・スケジューリング情報を輸送し、非周期的チャネル品質情報（ＣＱＩ：ｃｈａｎｎｅｌ  ｑｕａｌｉｔｙ  ｉｎｆｏｒｍａｔｉｏｎ）報告を要求し、ＭＣＣＨ変更の通知を送信し、セルに対する上りリンク電力制御コマンドおよびＲＮＴＩを送信する。
【００５７】
いくつかの実装において、Ｃ−ＲＮＴＩインタプリタ１３０は、複数のＰＤＣＣＨを復号する。例えば、リリース１１およびそれ以前では、ＵＥは、第１のＣ−ＲＮＴＩによりスクランブルされた第１のＣＲＣをもつ第１のＰＤＣＣＨ（またはＥＰＤＣＣＨ）を復号（および解釈）し、かつ第２のＣ−ＲＮＴＩによりスクランブルされた第２のＣＲＣをもつ第２のＰＤＣＣＨ（またはＥＰＤＣＣＨ）を復号（および解釈）するようには構成されなかった。しかしながら、本明細書に開示されるシステムおよび方法によれば、第１のＣ−ＲＮＴＩによりスクランブルされたＣＲＣをもつＰＤＣＣＨを復号（および解釈）するのに加えて、ＵＥ１０２は、第２のＣ−ＲＮＴＩによりスクランブルされたＣＲＣをもつＰＤＣＣＨを復号（および解釈）するように構成される。
【００５８】
例は、次のように示される。リリース１１およびそれ以前では、ＵＥは、プライマリセル（ＰＣｅｌｌ：ｐｒｉｍａｒｙ  ｃｅｌｌ）の共通サーチスペースと、各在圏セル（例えば、ＰＣｅｌｌおよびセカンダリセル（単数または複数）（ＳＣｅｌｌ：ｓｅｃｏｎｄａｒｙ  ｃｅｌｌ））のＵＥ１０２固有のサーチスペースとにおいてＰＤＣＣＨをモニタまたは復号するように構成された。サーチスペースは、復号されることになる候補ＰＤＣＣＨ（またはＥＰＤＣＣＨ）のセットとして定義される。ＵＥは、また、これらのサーチスペースにおいてモニタまたは復号されるべきＤＣＩフォーマットの種類を用いて構成される。ＵＥは、さらに、これらのサーチスペースの各ＰＤＣＣＨにおいてＤＣＩフォーマットをもつＤＣＩでモニタまたは復号されるべき（ＤＣＩフォーマットに対応する）ＲＮＴＩの種類を用いて構成される。
【００５９】
いくつかの場合、ＵＥ１０２は、Ｃ−ＲＮＴＩによりスクランブルされたＣＲＣをもつＰＤＣＣＨをモニタまたは復号するように、一時Ｃ−ＲＮＴＩによりスクランブルされたＣＲＣをもつＰＤＣＣＨをモニタまたは復号するように、セミパーシステント・スケジューリングＣ−ＲＮＴＩによりスクランブルされたＣＲＣをもつＰＤＣＣＨをもつモニタまたは復号するように構成されるなどである。ＤＣＩフォーマットをもつＰＤＣＣＨをＵＥが復号するときに、ＵＥは、復号されるように構成されたいくつかのＲＮＴＩを合致させようと試みる。ＵＥは、次に、サーチスペースにおけるすべてのＰＤＣＣＨをＵＥがチェックし終えるまで、それらのＲＮＴＩを用いて、同じか、または異なるＤＣＩフォーマットをもつＰＤＣＣＨを復号しようと試みる。これは、「ブラインド復号」と呼ばれる。いくつかの実装では、ＵＥのために１つのＣ−ＲＮＴＩのみが構成され、１つ以上のＤＣＩフォーマットをもつ複数のＰＤＣＣＨを復号するためにこのＣ−ＲＮＴＩが用いられる。しかしながら、本明細書に開示されるシステムおよび方法によれば、リリース１１およびそれ以前の振舞いに加えて、ＵＥ１０２は、１次無線接続のための第１のＣ−ＲＮＴＩに加えて、２次無線接続のための第２のＣ−ＲＮＴＩを割り当てられる。１次接続の共通サーチスペースと、各在圏セルのＵＥ１０２固有のサーチスペースとにおいて第１のＣ−ＲＮＴＩによりスクランブルされたＣＲＣをもつ各ＰＤＣＣＨを復号するのに加えて、ＵＥ１０２は、２次接続の共通サーチスペースと、各在圏セルのＵＥ１０２固有のサーチスペースとにおいて第２のＣ−ＲＮＴＩによりスクランブルされたＣＲＣをもつ各ＰＤＣＣＨを復号するように構成される。
【００６０】
いくつかの実装において、ＵＥオペレーション・モジュール１２４は、図１に示されるモジュールのうちの１つを含む。例えば、一実装において、ＵＥオペレーション・モジュール１２４は、ランダムアクセス手順モジュール１２６のみを含む。別の実装では、ＵＥオペレーション・モジュール１２４は、Ｃ−ＲＮＴＩインタプリタ１３０のみを含む。他の実装では、ＵＥオペレーション・モジュール１２４は、図１に示される複数のモジュールおよびその任意の組み合わせを含む。例えば、ＵＥ１０２は、ランダムアクセス手順モジュール１２６、Ｃ−ＲＮＴＩインタプリタ１３０およびＵＥ無線接続確定モジュール１２８のうちの少なくとも２つを含む。
【００６１】
ＵＥオペレーション・モジュール１２４は、情報１４８を１つ以上の受信機１２０に提供する。例えば、ＵＥオペレーション・モジュール１２４は、下りリンク・スケジューリング情報または間欠受信（ＤＲＸ：ｄｉｓｃｏｎｔｉｎｕｏｕｓ  ｒｅｃｅｐｔｉｏｎ）構成などに基づいて、送信をいつ受信すべきか、またはいつすべきでないかを受信機（単数または複数）１２０に通知する。
【００６２】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００６３】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００６４】
ＵＥオペレーション・モジュール１２４は、情報１４２をエンコーダ１５０に提供する。情報１４２は、符号化すべきデータおよび／または符号化に関する命令を含む。例えば、ＵＥオペレーション・モジュール１２４は、送信データ１４６および／または他の情報１４２を符号化するようにエンコーダ１５０に命令する。他の情報１４２は、ＲＲＣメッセージを含む。
【００６５】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【００６６】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【００６７】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。１つ以上の送信機１５８は、変調信号（単数または複数）１５６を１つ以上のｅＮＢ１６０へアップコンバートして送信する。
【００６８】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００６９】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いて信号をＵＥ１０２へ送信する。例えば、１つ以上の送信機１１７は、１つ以上の変調信号１１５をアップコンバートして送信する。
【００７０】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信されたペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＵＳＣＨ送信データ）を供給する。
【００７１】
一般に、ｅＮＢオペレーション・モジュール１８２は、ｅＮＢ１６０が１つ以上のＵＥ１０２と通信し、かつ１つ以上のネットワークノード（例えば、モビリティ管理エンティティ（ＭＭＥ：ｍｏｂｉｌｉｔｙ  ｍａｎａｇｅｍｅｎｔ  ｅｎｔｉｔｙ）、在圏ゲートウェイ（Ｓ−ＧＷ：ｓｅｒｖｉｎｇ  ｇａｔｅｗａｙ）、ｅＮＢ）と通信することを可能にする。ｅＮＢオペレーション・モジュール１８２は、接続制御メッセージ管理モジュール１９４およびＣ−ＲＮＴＩ管理モジュール１９６のうちの１つ以上を含む。
【００７２】
接続制御メッセージ管理モジュール１９４は、接続制御メッセージを取得する。いくつかの実装において、接続制御メッセージを取得するステップは、接続制御メッセージを受信するステップを含む。例えば、ＰｅＮＢ（またはソースＳｅＮＢ）は、ＳｅＮＢ（またはターゲットＳｅＮＢ）によって生成された接続制御メッセージを受信する。接続制御メッセージは、２次無線接続のための接続制御情報を含む。接続制御メッセージのメッセージ構造は、専用ＲＡＣＨプリアンブル・アイデンティティが含まれるか否かを切り替えることが可能である。例えば、接続制御メッセージは、２次無線接続において新しい接続を追加するか、またはハンドオーバを行うようにＵＥ１０２に指示する。接続制御メッセージは、ＲＲＣ接続再構成メッセージに含められる。
【００７３】
別の実装では、接続制御メッセージ管理モジュール１９４は、接続制御メッセージを生成する。例えば、ＳｅＮＢ（またはターゲットＳｅＮＢ）は、接続制御メッセージを生成する。図１６および１７のうちの少なくとも１つと関連して記載されるであろうように、ＳｅＮＢ（またはターゲットＳｅＮＢ）は、受信された情報に基づいて接続制御メッセージを生成する。
【００７４】
ｅＮＢオペレーション・モジュール１８２は、ＵＥ１０２へシグナリングされることになるＲＲＣ接続再構成メッセージも生成する。ＲＲＣ接続再構成メッセージは、ハンドオーバ・コマンドおよび／または接続制御メッセージを含んでも、含まなくてもよい。例えば、ｅＮＢ１６０は、透過的コンテナとして別のｅＮＢからハンドオーバ・コマンドおよび／または接続制御メッセージを受信する。ｅＮＢ１６０は、受信された透過的コンテナを含むＲＲＣ接続再構成メッセージを生成して、このＲＲＣ接続再構成メッセージをＵＥ１０２へ送信する。
【００７５】
Ｃ−ＲＮＴＩ管理モジュール１９６は、Ｃ−ＲＮＴＩを取得する。例えば、Ｃ−ＲＮＴＩ管理モジュール１９６は、２次無線接続に対応する第２のＣ−ＲＮＴＩを取得する。一例によれば、ｅＮＢ１６０（例えば、ＰｅＮＢ）は、別のｅＮＢ１６０（例えば、ＳｅＮＢ）からＣ−ＲＮＴＩを受信する。別の例では、Ｃ−ＲＮＴＩ管理モジュール１９６は、別のデバイスからＣ−ＲＮＴＩを受信する。例えば、ＳｅＮＢは、ネットワークサーバからＣ−ＲＮＴＩを受信する。
【００７６】
いくつかの実装において、Ｃ−ＲＮＴＩ管理モジュール１９６は、無線接続のためのＣ−ＲＮＴＩを予約する。例えば、ＳｅＮＢは、２次無線接続のためのＣ−ＲＮＴＩを予約する。ＳｅＮＢは、次に、予約されたＣ−ＲＮＴＩを接続制御メッセージで送信する。Ｃ−ＲＮＴＩを含んだ接続制御メッセージは、ＲＲＣ接続再構成メッセージを通じてＵＥ１０２へ送信される。
【００７７】
いくつかの実装において、ｅＮＢオペレーション・モジュール１８２は、図１に示されるモジュールのうちの１つを含む。例えば、一実装において、ｅＮＢオペレーション・モジュール１８２は、接続制御メッセージ管理モジュール１９４のみを含む。別の実装では、ｅＮＢオペレーション・モジュール１８２は、Ｃ−ＲＮＴＩ管理モジュール１９６のみを含む。他の実装では、ｅＮＢオペレーション・モジュール１８２は、図１に示される複数のモジュールを含む。例えば、ｅＮＢオペレーション・モジュール１８２は、接続制御メッセージ管理モジュール１９４およびＣ−ＲＮＴＩ管理モジュール１９６を含む。
【００７８】
ｅＮＢオペレーション・モジュール１８２は、情報１９０を１つ以上の受信機１７８に提供する。例えば、ｅＮＢオペレーション・モジュール１８２は、送信をいつ受信すべきか、またはいつすべきでないかを受信機（単数または複数）１７８に通知する。
【００７９】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【００８０】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【００８１】
ｅＮＢオペレーション・モジュール１８２は、情報１０１をエンコーダ１０９に提供する。情報１０１は、符号化すべきデータおよび／または符号化に関する命令を含む。例えば、ｅＮＢオペレーション・モジュール１８２は、送信データ１０５および／または他の情報１０１を符号化するようにエンコーダ１０９に命令する。他の情報１０１は、ＲＲＣメッセージを含む。
【００８２】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワークデータを含む。
【００８３】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【００８４】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（またはいつすべきでないか）を１つ以上の送信機１１７に命令する。１つ以上の送信機１１７は、１つ以上のＵＥ１０２へ変調信号（単数または複数）１１５をアップコンバートして送信する。
【００８５】
留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積（ＬＳＩ：ｌａｒｇｅ−ｓｃａｌｅ  ｉｎｔｅｇｒａｔｅｄ）回路または集積回路などで実装されてもよく、および／またはそれらを用いて実現されてもよい。
【００８６】
図２は、ＵＥ１０２によって複数の無線接続を確立するための方法２００の一構成を示すフロー図である。ＵＥ１０２は、ＵＥ１０２とＥ−ＵＴＲＡＮ上の第１のポイントとの間の１次無線接続を確立する（ステップ２０２）。例えば、第１のｅＮＢ１６０（例えば、第１のポイント）は、Ｅ−ＵＴＲＡＮに属する。一構成において、第１のｅＮＢ１６０は、ＰｅＮＢである。ＵＥ１０２は、Ｕｕインターフェースを用いてＰｅＮＢに接続する。別の構成では、第１のｅＮＢ１６０は、ＳｅＮＢである。
【００８７】
ＵＥ１０２は、接続制御メッセージを受信する（ステップ２０４）。例えば、ＵＥ１０２は、接続制御メッセージ（例えば、接続制御情報）を含むＲＲＣ接続再構成メッセージ（例えば、ＲＲＣＣｏｎｎｅｃｔｉｏｎＲｅｃｏｎｆｉｇｕｒａｔｉｏｎメッセージ）を受信する（ステップ２０４）。接続制御メッセージは、２次無線接続のための接続制御として用いられる。接続制御情報は、無線接続のための無線ベアラ構成、無線接続のためのＣ−ＲＮＴＩ、セルの物理セル識別子、専用ＲＡＣＨプリアンブル・アイデンティティ、セキュリティ・アルゴリズム識別子、アクセス・パラメータ、システム情報ブロック（ＳＩＢ：ｓｙｓｔｅｍ  ｉｎｆｏｒｍａｔｉｏｎ  ｂｌｏｃｋ）などのうちの１つ以上を含む。ＵＥ１０２は、ＰｅＮＢまたはソースＳｅＮＢのいずれかである第１のｅＮＢ１６０から接続再構成メッセージを受信する（ステップ２０４）。
【００８８】
上記のように、接続制御メッセージは、無線接続において接続（例えば、２次無線接続）の追加およびハンドオーバのうちの少なくとも１つを行うようにＵＥ１０２に指示する。例えば、接続制御メッセージは、ＵＥ１０２とＥ−ＵＴＲＡＮとの間の新しい接続を追加するようにＵＥ１０２に指示する。接続を追加するステップは、無線接続に割り当てられたＣ−ＲＮＴＩを受信することを含む。Ｃ−ＲＮＴＩをＵＥ１０２に割り当てるためのいくつかの方法がある。例は、次のように示される。最初に、Ｃ−ＲＮＴＩがＭＡＣサブレイヤに割り当てられる。ランダムアクセス手順では、一時Ｃ−ＲＮＴＩが割り当てられる。いくつかの実装において、一時Ｃ−ＲＮＴＩは、ランダムアクセス応答メッセージに含められる。この実装では、ＵＥ１０２がランダムアクセス成功を検出して、Ｃ−ＲＮＴＩをまだ有さないときに、一時Ｃ−ＲＮＴＩは、Ｃ−ＲＮＴＩへレベルを上げられる。Ｃ−ＲＮＴＩは、その後、他のメッセージによって落とされる。ＵＥ１０２がランダムアクセス成功を検出して、Ｃ−ＲＮＴＩをすでに有する場合、ＵＥ１０２は、そのＣ−ＲＮＴＩを再び用い始める。例えば、ランダムアクセスの目的がＲＲＣ＿ＩＤＬＥ状態からの、またはＲＲＣ接続再確立手順後の最初のアクセスであるときに、ＵＥ１０２は、Ｃ−ＲＮＴＩをまだ有さない。この場合、一時Ｃ−ＲＮＴＩは、ランダムアクセス成功のときにレベルを上げられる。このステップは、リリース１１およびそれ以前に従って行われる。
【００８９】
別の例では、ハンドオーバ・コマンドを含むＲＲＣ接続再構成メッセージが無線接続においてハンドオーバを行うようにＵＥ１０２に指示する。ハンドオーバを行うステップは、ＵＥ１０２のＣ−ＲＮＴＩをアップデートするステップを含む。例えば、ＵＥ１０２がＲＲＣ＿ＣＯＮＮＥＣＴＥＤ状態にある場合、Ｃ−ＲＮＴＩは、ハンドオーバ手順のときに変更される（例えば、アップデートされる）。ターゲットＰＣｅｌｌのための新しいＣ−ＲＮＴＩは、ｅＮＢ１６０からＵＥ１０２へソースＰＣｅｌｌにおけるハンドオーバ・コマンド（例えば、ＭｏｂｉｌｉｔｙＣｏｎｔｒｏｌＩｎｆｏ）で供給される。このＣ−ＲＮＴＩ割り当ては、ＲＲＣサブレイヤで行われる。この例では、ＵＥ１０２は、複数のＣ−ＲＮＴＩを有するが、新しいＣ−ＲＮＴＩは、初期化、ターゲットＰＣｅｌｌの下りリンクへの同期後に適用される。このステップは、リリース１１およびそれ以前に従って行われる。加えて、いくつかの実装において、ＲＲＣ接続再構成メッセージに含められる接続制御メッセージは、第２の無線接続のためのＣ−ＲＮＴＩ、ターゲットセルの物理セル識別子、セキュリティ・アルゴリズム識別子および専用ＲＡＣＨプリアンブル・アイデンティティのうちの少なくとも１つを含む。これは、（例えば、リリース１２仕様のための）新しい手順である。
【００９０】
ＵＥ１０２は、接続制御メッセージを受信したことに応答して、２次無線接続のためのランダムアクセス手順を行う。接続制御メッセージに応答して、ＵＥ１０２は、専用ＲＡＣＨプリアンブルが接続制御メッセージ中に示されるかどうかを確定する（ステップ２０６）。例えば、接続制御メッセージは、専用ＲＡＣＨプリアンブルを示すパラメータを含む。専用ＲＡＣＨプリアンブルが接続制御メッセージ中に示されるとＵＥ１０２が確定した（ステップ２０６）場合、ＵＥ１０２は、２次無線接続のための非競合ベースのランダムアクセス手順を行う（ステップ２０８）。例えば、ＵＥ１０２は、競合のない手順を用いてＲＡＣＨを通じてターゲットセルにアクセスする。これに対して、専用ＲＡＣＨプリアンブルが接続制御メッセージ中に示されないとＵＥ１０２が確定した（ステップ２０６）場合、ＵＥ１０２は、競合ベースのランダムアクセス手順を行う（ステップ２１０）。例えば、接続制御メッセージを含むＲＲＣ接続構成メッセージに応答して、ＵＥ１０２は、ランダムアクセス手順を行う。
【００９１】
図３は、ｅＮＢ１６０によって複数の無線接続を確立するための方法３００の一構成を示すフロー図である。ｅＮＢ１６０は、ＵＥ１０２との無線接続を確立する（ステップ３０２）。例えば、第１のｅＮＢ１６０は、Ｅ−ＵＴＲＡＮに属する。一構成において、第１のｅＮＢ１６０は、ＰｅＮＢである。第１のｅＮＢ１６０は、図１に関連して記載されたようにＵｕインターフェースを用いてＵＥ１０２との無線接続を確立する（ステップ３０２）。
【００９２】
ｅＮＢ１６０は、２次無線接続のための接続制御メッセージを取得する（ステップ３０４）。接続制御メッセージは、専用ＲＡＣＨプリアンブルが接続制御メッセージに含まれるかどうかを示す。（例えば、ＲＲＣ接続再構成メッセージに含められる）接続制御メッセージは、専用ＲＡＣＨプリアンブル・アイデンティティが含まれるか否かを切り替えることも可能である。
【００９３】
いくつかの実装において、接続制御メッセージを取得するステップ３０４は、接続制御メッセージを受信することを含む。例えば、上記のように、ＰｅＮＢは、接続制御メッセージをＳｅＮＢから受信する。この例では、ＰｅＮＢは、接続制御メッセージをＵＥ１０２へ（例えば、ＲＲＣ接続再構成メッセージで）送信する（ステップ３０６）。接続制御メッセージを（例えば、ＲＲＣ接続再構成メッセージで）受信する別の例は、次のように示される。ＰｅＮＢまたはソースＳｅＮＢは、接続制御メッセージをターゲットＳｅＮＢから受信する。この例では、ＰｅＮＢまたはソースＳｅＮＢは、接続制御メッセージを含んだＲＲＣ接続再構成メッセージを生成する。ＰｅＮＢまたはソースＳｅＮＢは、次に、接続制御メッセージを含んだＲＲＣ接続再構成メッセージをＵＥ１０２へ送信する（ステップ３０６）。
【００９４】
いくつかの実装において、接続制御メッセージは、２次無線接続においてセル間のハンドオーバに用いられる。例えば、ＰｅＮＢまたはソースＳｅＮＢは、接続制御メッセージをターゲットＳｅＮＢから受信する（ターゲットＳｅＮＢから受信された接続制御メッセージがＰｅＮＢとソースＳｅＮＢとの間で交換または共有できるので、この例では記載されない）。ＰｅＮＢまたはソースＳｅＮＢは、（接続制御メッセージを含んだ）ＲＲＣ接続再構成メッセージをＵＥ１０２へ送信する（示されない）。いくつかの例では、接続制御メッセージは、用いられない。その代わりに、ハンドオーバ・コマンド（例えば、ＭｏｂｉｌｉｔｙＣｏｎｔｒｏｌＩｎｆｏ）が用いられ、２次無線接続におけるハンドオーバ・コマンドは、１次無線接続において用いられるＲＲＣ接続再構成メッセージとは区別される、２次ＲＲＣ接続再構成メッセージに含められる。次に、２次ＲＲＣ接続再構成完了メッセージが２次ＲＲＣ接続再構成メッセージに対する確認応答としてＵＥ１０２からターゲットＳｅＮＢへ送信される。２次ＲＲＣ接続再構成完了メッセージは、１次無線接続において用いられるＲＲＣ接続再構成完了メッセージとは区別される。
【００９５】
他の実装では、接続制御メッセージを取得するステップ３０４は、接続制御メッセージを生成することを含む。例えば、ＳｅＮＢは、接続制御メッセージを生成する。ＳｅＮＢは、別のｅＮＢ（例えば、ＰｅＮＢ）から受信された情報に基づいて接続制御メッセージを生成する。この例では、ＳｅＮＢは、接続制御メッセージをＰｅＮＢへ送信する（ステップ３０６）。ＰｅＮＢは、次に、接続制御メッセージを（例えば、ＲＲＣ接続再構成メッセージで）ＵＥ１０２へ転送する。従って、ＳｅＮＢは、接続制御メッセージをＰｅＮＢ経由でＵＥ１０２へ送信する（ステップ３０６）。
【００９６】
接続制御メッセージを生成する別の例は、次のように示される。ターゲットＳｅＮＢは、接続制御メッセージを生成する。この例では、ターゲットＳｅＮＢは、接続制御メッセージを別のｅＮＢ（例えば、ＰｅＮＢまたはソースＳｅＮＢ）へ送信する（ステップ３０６）。別のｅＮＢは、次に、接続制御メッセージをＵＥ１０２へ転送する。従って、ターゲットＳｅＮＢは、接続制御メッセージを別のｅＮＢ経由でＵＥ１０２へ送信する（ステップ３０６）。
【００９７】
図４は、非競合ベースのランダムアクセス手順４００の一構成を示すスレッド図である。ｅＮＢ４６０は、ランダムアクセスプリアンブル割り当てを送信する（ステップ４０１）。例えば、ｅＮＢ４６０は、非競合ランダムアクセスプリアンブル（例えば、ブロードキャスト・シグナリングで送信されるセット内にはないランダムアクセスプリアンブル）をＵＥ４０２に割り当てる。いくつかの実装において、ｅＮＢ４６０は、下りリンクでの専用シグナリングを通じて（例えば、専用ＲＡＣＨプリアンブル・アイデンティティを通じて）ランダムアクセスプリアンブルを割り当てる（ステップ４０１）。
【００９８】
ＵＥ４０２は、次に、割り当てられた非競合ランダムアクセスプリアンブルをｅＮＢ４６０へ送信する（ステップ４０３）。いくつかの実装において、ＵＥ４０２は、割り当てられた非競合ランダムアクセスプリアンブルを上りリンク送信におけるＲＡＣＨ上で送信する（ステップ４０３）。
【００９９】
ｅＮＢ４６０は、次に、ランダムアクセス応答をＵＥ４０２へ送信する（ステップ４０５）。ランダムアクセス応答は、ＭＡＣによりＤＬ−ＳＣＨ上に生成される。ＵＥ４０２は、ランダムアクセス応答を受信する。
【０１００】
図５は、競合ベースのランダムアクセス手順５００の一構成を示すスレッド図である。ＵＥ５０２は、ランダムアクセスプリアンブルを選択する。例えば、ＵＥ５０２は、ブロードキャスト・シグナリングで通知されたセットからランダムアクセスプリアンブルをランダムに選択する。ＵＥ５０２は、次に、ランダムに選択されたランダムアクセスプリアンブルを（例えば、上りリンク送信におけるＲＡＣＨ上で）ｅＮＢ５６０へ送信する（ステップ５０１）。
【０１０１】
ｅＮＢ５６０は、ランダムアクセス応答を送信する（ステップ５０３）。ＵＥ５０２は、ランダムアクセス応答を受信する。ランダムアクセス応答は、一時Ｃ−ＲＮＴＩを含む。ランダムアクセス応答は、ＭＡＣによりＤＬ−ＳＣＨ上に生成される。
【０１０２】
ＵＥ５０２は、次に、第１のスケジュールされた上りリンク送信をＵＬ−ＳＣＨ上で送る（ステップ５０５）。言い換えれば、ＵＥ５０２は、一時Ｃ−ＲＮＴＩによってスケジュールされた上りリンク送信を送る（ステップ５０５）。
【０１０３】
ｅＮＢ５６０は、ＵＥ５０２によって受信される、競合解消を送信する（ステップ５０７）。競合解消は、ＵＥ５０２が識別されたことを確認する情報を含む。
【０１０４】
図６は、ＵＥ１０２によって複数の無線接続を確立するための方法６００の別の構成を示すフロー図である。ＵＥ１０２は、第１のＰＤＣＣＨを受信する（ステップ６０２）。第１のＰＤＣＣＨは、１次無線接続において第１のＣ−ＲＮＴＩによりスクランブルされた第１のＣＲＣを含む。本明細書では、用語ＰＤＣＣＨは、ＰＤＣＣＨまたはＥＰＤＣＣＨを指す。例として、ＥＰＤＣＣＨは、ＰＤＣＣＨの一例である。第１のＰＤＣＣＨ（または第１のＥＰＤＣＣＨ）は、第１のＣＲＣを用いて暗黙的に符号化された第１のＲＮＴＩ（例えば、第１のＣ−ＲＮＴＩ）を含む。例えば、ＣＲＣパリティビットの第１のセットは、第１のＣ−ＲＮＴＩによりスクランブルされる。
【０１０５】
ＵＥ１０２は、次に、第１のＰＤＣＣＨ（または第１のＥＰＤＣＣＨ）を復号する（ステップ６０４）。第１のＰＤＣＣＨを復号するステップ６０４は、図１に関連して記載されたように第１のＰＤＣＣＨを解釈することを含む。第１のＰＤＣＣＨは、１次無線接続においてｅＮＢ１６０からＵＥ１０２へ送信される。
【０１０６】
ＵＥ１０２は、第２のＰＤＣＣＨを受信する（ステップ６０６）。第２のＰＤＣＣＨは、２次無線接続において第２のＣ−ＲＮＴＩによりスクランブルされた第２のＣＲＣを含む。第２のＰＤＣＣＨ（または第２のＥＰＤＣＣＨ）は、第２のＣＲＣを用いて暗黙的に符号化された第２のＣ−ＲＮＴＩを含む。例えば、ＣＲＣパリティビットの第２のセットは、第２のＣ−ＲＮＴＩによりスクランブルされる。
【０１０７】
ＵＥ１０２は、次に、第２のＰＤＣＣＨ（または第２のＥＰＤＣＣＨ）を復号する（ステップ６０８）。第２のＰＤＣＣＨを復号するステップ６０８は、図１に関連して記載されたように第２のＰＤＣＣＨを解釈することを含む。第２のＰＤＣＣＨは、２次無線接続においてｅＮＢ１６０からＵＥ１０２へ送信される。
【０１０８】
図７は、ｅＮＢ１６０によって複数の無線接続を確立するための方法７００の別の構成を示すフロー図である。ｅＮＢ１６０は、ＵＥ１０２との無線接続を確立する（ステップ７０２）。いくつかの実装において、これは、図３に関連して記載されたように行われる。
【０１０９】
ｅＮＢ１６０は、２次無線接続のための第２のＣ−ＲＮＴＩを管理する。例えば、ｅＮＢ１６０は、第２の無線接続のための第２のＣ−ＲＮＴＩを１次無線接続のための第１のＣ−ＲＮＴＩを有するＵＥ１０２に割り当てる（ステップ７０４）。Ｃ−ＲＮＴＩを各無線接続に割り当てるステップは、無線リソース管理のフレキシビリティを高めることを可能にする。いくつかの実装において、第２のＣ−ＲＮＴＩを管理するステップは、Ｃ−ＲＮＴＩを別のデバイス（例えば、別のｅＮＢ１６０（例えば、ＳｅＮＢ）またはサーバ）から受信することを含む。例えば、ＰｅＮＢは、第２のＣ−ＲＮＴＩを予約したＳｅＮＢから２次無線接続のための第２のＣ−ＲＮＴＩを受信する。この例では、ｅＮＢ１６０は、第２のＣ−ＲＮＴＩをＵＥ１０２へ送信する。留意すべきは、第２のＣ−ＲＮＴＩが、ｅＮＢ１６０からＵＥ１０２へのＲＲＣ接続再構成メッセージに含められる接続制御メッセージに含まれることである。
【０１１０】
別の例では、第２のＣ−ＲＮＴＩを管理するステップは、第２のＣ−ＲＮＴＩを生成するステップを含む。第２のＣ−ＲＮＴＩを生成するステップは、Ｃ−ＲＮＴＩを予約するステップを含む。例えば、ＳｅＮＢは、２次無線接続のためのＣ−ＲＮＴＩを予約する。この例では、ＳｅＮＢは、第２のＣ−ＲＮＴＩを、例えば、別のｅＮＢ（例えば、ＰｅＮＢまたはソースＳｅＮＢ）へ送信する。ｅＮＢ１６０は、次に、第２のＣ−ＲＮＴＩをＵＥ１０２へ送信する。第２のＣ−ＲＮＴＩは、ｅＮＢ１６０からＵＥ１０２へのＲＲＣ接続再構成メッセージに含められる接続制御メッセージに含まれる。
【０１１１】
ｅＮＢ１６０は、２次無線接続において第２のＣ−ＲＮＴＩによりスクランブルされた第２のＣＲＣを含む第２のＰＤＣＣＨを送信する（ステップ７０６）。例えば、第２のＣ−ＲＮＴＩが接続制御メッセージによってＵＥ１０２に割り当てられた後、ＵＥ１０２は、第２のＣ−ＲＮＴＩを有する。ＵＥ１０２が２次無線接続のための第２のＣ−ＲＮＴＩを有した後、第２のＣ−ＲＮＴＩを送信するステップ７０６は、上記のように、第２のＣ−ＲＮＴＩに基づいてＣＲＣパリティビットのセットをスクランブルすることを含む。この例では、ｅＮＢ１６０は、Ｃ−ＲＮＴＩ（および対応するＣＲＣ）をＰＤＣＣＨ（またはＥＰＤＣＣＨ）で送信する（ステップ７０６）。留意すべきは、ｅＮＢ１６０がＣ−ＲＮＴＩをＵＥ１０２へ直接または（例えば、別のｅＮＢ経由で）間接的に送信してもよいことである。
【０１１２】
図８は、複数の無線接続を確立するためのシステムおよび方法が実装されたＥ−ＵＴＲＡＮアーキテクチャ８２３の一構成を示すブロック図である。図８に関連して記載されるＵＥ８０２は、図１に関連して記載されたＵＥ１０２に従って実装される。図８に関連して記載されるｅＮＢ８６０は、図１に関連して記載されたｅＮＢ１６０に従って実装される。Ｅ−ＵＴＲＡＮアーキテクチャ８２３では、Ｅ−ＵＴＲＡＮ８３５は、Ｅ−ＵＴＲＡユーザプレーン（パケットデータ・コンバージェンス・プロトコル（ＰＤＣＰ：ｐａｃｋｅｔ  ｄａｔａ  ｃｏｎｖｅｒｇｅｎｃｅ  ｐｒｏｔｏｃｏｌ）／無線リンク制御（ＲＬＣ：ｒａｄｉｏ  ｌｉｎｋ  ｃｏｎｔｒｏｌ）／ＭＡＣ／ＰＨＹ）および制御プレーン（ＲＲＣ）プロトコル終端をＵＥ８０２に提供する、１つ以上のｅＮＢ８６０を含む。ｅＮＢ８６０は、（図示されない）Ｘ２インターフェースにより相互接続される。ｅＮＢ８６０は、Ｓ１インターフェース８３１、８３３により進化型パケットコア（ＥＰＣ：ｅｖｏｌｖｅｄ  ｐａｃｋｅｔ  ｃｏｒｅ）８２５にも接続される。例として、ｅＮＢ８６０は、Ｓ１−ＭＭＥ８３１インターフェースによりモビリティ管理エンティティ（ＭＭＥ）８２７に、およびＳ１−Ｕインターフェース８３３により在圏ゲートウェイ（Ｓ−ＧＷ）８２９に接続される。Ｓ１インターフェース８３１、８３３は、ＭＭＥ８２７、Ｓ−ＧＷ８２９およびｅＮＢ８６０の間の多対多の関係をサポートする。Ｓ１−ＭＭＥインターフェース８３１は、制御プレーンのためのＳ１インターフェースであり、Ｓ１−Ｕインターフェース８３３は、ユーザプレーンのためのＳ１インターフェースである。Ｕｕインターフェース８３７は、Ｅ−ＵＴＲＡＮ８３５の無線プロトコルのためのＵＥ８０２とｅＮＢ８６０との間の無線インターフェースである。
【０１１３】
ｅＮＢ８６０は、様々な機能をホスティングする。例えば、ｅＮＢ８６０は、無線リソース管理（例えば、無線ベアラ制御、無線受付制御、接続モビリティ制御、上りリンクおよび下りリンクの両方（のスケジューリング）でのリソースのＵＥ８０２への動的な割り当て）のための機能をホスティングする。ｅＮＢ８６０は、また、ユーザデータストリームのＩＰヘッダ圧縮および暗号化、ＵＥ８０２によって提供された情報からＭＭＥ８２７へのルーティングを確定できないときのＵＥ８０２アタッチメントにおけるＭＭＥ８２７の選択、ならびにユーザプレーン・データの在圏ゲートウェイ８２９へのルーティングを行う。加えて、ｅＮＢ８６０は、（ＭＭＥ８２７から生じた）ページング・メッセージのスケジューリングおよび送信、（ＭＭＥ８２７または運用保守（Ｏ＆Ｍ：ｏｐｅｒａｔｉｏｎ  ａｎｄ  ｍａｉｎｔｅｎａｎｃｅ）から生じた）ブロードキャスト情報のスケジューリングおよび送信、モビリティおよびスケジューリングに関する測定ならびに測定報告構成、および（ＭＭＥ８２７から生じた）（地震および津波警報システム（ＥＴＷＳ：ｅａｒｔｈｑｕａｋｅ  ａｎｄ  ｔｓｕｎａｍｉ  ｗａｒｎｉｎｇ  ｓｙｓｔｅｍ）ならびに商用携帯警報システム（ＣＭＡＳ：ｃｏｍｍｅｒｃｉａｌ  ｍｏｂｉｌｅ  ａｌｅｒｔ  ｓｙｓｔｅｍ）を含む）公衆警報システム（ＰＷＳ：ｐｕｂｌｉｃ  ｗａｒｎｉｎｇ  ｓｙｓｔｅｍ）メッセージのスケジューリングおよび送信を行う。ｅＮＢ８６０は、さらに、上りリンクにおけるクローズド・サブスクライバ・グループ（ＣＳＧ：ｃｌｏｓｅｄ  ｓｕｂｓｃｒｉｂｅｒ  ｇｒｏｕｐ）処理およびトランスポート・レベルのパケット・マーキングを行う。
【０１１４】
ＭＭＥ８２７は、様々な機能をホスティングする。例えば、ＭＭＥ８２７は、非アクセス層（ＮＡＳ：Ｎｏｎ−Ａｃｃｅｓｓ  Ｓｔｒａｔｕｍ）シグナリング、ＮＡＳシグナリング・セキュリティ、アクセス層（ＡＳ：Ａｃｃｅｓｓ  Ｓｔｒａｔｕｍ）セキュリティ制御、３ＧＰＰアクセス・ネットワーク間モビリティに関するコアネットワーク（ＣＮ：ｃｏｒｅ  ｎｅｔｗｏｒｋ）ノード間シグナリング、および（ページング再送信の制御および実行を含む）アイドルモードＵＥ到達性を行う。ＭＭＥ８２７は、（アイドルおよびアクティブモードにおけるＵＥ８０２のための）トラッキングエリア・リスト管理、パケットデータ・ネットワーク・ゲートウェイ（ＰＤＮ  ＧＷ：ｐａｃｋｅｔ  ｄａｔａ  ｎｅｔｗｏｒｋ  ｇａｔｅｗａｙ）およびＳ−ＧＷ選択、ＭＭＥ８２７変更を伴うハンドオーバのためのＭＭＥ８２７選択、２Ｇまたは３Ｇ  ３ＧＰＰアクセス・ネットワークへのハンドオーバのための在圏ＧＰＲＳサポート・ノード（ＳＧＳＮ：Ｓｅｒｖｉｎｇ  ＧＰＲＳ  Ｓｕｐｐｏｒｔ  Ｎｏｄｅ）選択も行う。加えて、ＭＭＥ８２７は、ローミング、認証および（専用ベアラ確立を含む）ベアラ管理機能をホスティングする。ＭＭＥ８２７は、（ＥＴＷＳおよびＣＭＡＳを含む）ＰＷＳメッセージ送信にサポートを提供し、随意的にページング最適化を行う。
【０１１５】
Ｓ−ＧＷ８２９は、次の機能もホスティングする。Ｓ−ＧＷ８２９は、ｅＮＢ８６０間ハンドオーバのためのローカル・モビリティ・アンカーポイントをホスティングする。Ｓ−ＧＷ８２９は、３ＧＰＰ間モビリティに関するモビリティ・アンカリング、Ｅ−ＵＴＲＡＮアイドルモード下りリンク・パケット・バッファリングおよびネットワークによりトリガされたサービス要求手順の開始、合法的傍受、ならびにパケット・ルーティングおよびフォワーディングを行う。Ｓ−ＧＷ８２９は、下りリンクおよび上りリンクでのトランスポート・レベルのパケット・マーキング、オペレータ間課金のためのユーザおよびＱｏＳクラス識別子（ＱＣＩ：ＱｏＳ  Ｃｌａｓｓ  Ｉｄｅｎｔｉｆｉｅｒ）粒度に関するアカウンティング、ならびにＵＥ８０２、パケットデータネットワーク（ＰＤＮ：ｐａｃｋｅｔ  ｄａｔａ  ｎｅｔｗｏｒｋ）およびＱＣＩごとのＵＬおよびＤＬ課金も行う。
【０１１６】
シグナリング無線ベアラ（ＳＲＢ：Ｓｉｇｎａｌｉｎｇ  Ｒａｄｉｏ  Ｂｅａｒｅｒ）は、ＲＲＣおよびＮＡＳメッセージの送信にのみ用いられる無線ベアラ（ＲＢ：Ｒａｄｉｏ  Ｂｅａｒｅｒ）である。３つのＳＲＢが定義される。ＳＲＢ０は、ＲＲＣメッセージに用いられ、このメッセージは、ＣＣＣＨ論理チャネルを用いる。ＳＲＢ１は、ＳＲＢ２が確立する前にＮＡＳメッセージだけでなく（ピギーバックＮＡＳメッセージを含む）ＲＲＣメッセージに用いられ、これらのメッセージは、すべてがＤＣＣＨ論理チャネルを用いる。ＳＲＢ２は、ＮＡＳメッセージだけでなく記録された測定情報を含むＲＲＣメッセージに用いられ、これらのメッセージは、すべてがＤＣＣＨ論理チャネルを用いる。ＳＲＢ２は、ＳＲＢ１より低いプライオリティを有し、セキュリティ活性化後にＥ−ＵＴＲＡＮ８３５によって構成される。
【０１１７】
ＲＲＣ接続確立は、ＳＲＢ１の確立を伴う。初期セキュリティ活性化手順を開始すると、Ｅ−ＵＴＲＡＮ８３５は、ＳＲＢ２およびＤＲＢの確立を開始する。Ｅ−ＵＴＲＡＮ８３５は、ＵＥ８０２から初期セキュリティ活性化の確認を受信する前にこれを行う。ＰＤＣＰは、ＳＲＢ１、ＳＲＢ２およびＤＲＢごとに確立される。ＲＬＣは、ＳＲＢ０、ＳＲＢ１、ＳＲＢ２およびＤＲＢごとに確立される。
【０１１８】
ＲＲＣは、ＵＥ８０２とＥ−ＵＴＲＡＮ８３５との間の一時識別子の割り当て、およびＲＲＣ接続のためのＳＲＢの構成などを含めて、ＵＥ８０２とＥ−ＵＴＲＡＮ８３５の間のＲＲＣ接続の確立、維持および解除に関与する。ＲＲＣは、ポイントツーポイントＲＢの確立、構成、維持および解除に関与する。
【０１１９】
図９は、ユーザプレーン・プロトコルスタックの一構成を示すブロック図である。図９に関連して記載されるＵＥ９０２は、図１に関連して記載されたＵＥ１０２に従って実装される。図９に関連して記載されるｅＮＢ９６０は、図１に関連して記載されたｅＮＢ１６０に従って実装される。ＵＥ９０２のためのユーザプレーン・プロトコルスタックは、ＰＤＣＰ９３９ａ、ＲＬＣ９４１ａ、ＭＡＣ９４３ａおよびＰＨＹ９４５ａサブレイヤを含む。ｅＮＢ９６０のためのユーザプレーン・プロトコルスタックは、対応するＰＤＣＰ９３９ｂ、ＲＬＣ９４１ｂ、ＭＡＣ９４３ｂおよびＰＨＹ９４５ｂサブレイヤを含む。（ネットワーク上のｅＮＢ９６０で終端する）ＰＤＣＰ９３９ｂ、ＲＬＣ９４１ｂ、ＭＡＣ９４３ｂおよびＰＨＹ９４５ｂサブレイヤは、ユーザプレーンのための機能（例えば、ヘッダ圧縮、暗号化、スケジューリング、自動再送要求（ＡＲＱ：Ａｕｔｏｍａｔｉｃ  Ｒｅｐｅａｔ  Ｒｅｑｕｅｓｔ）およびハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ））を行う。異なるエンティティは、対応するサブレイヤによって識別される。例えば、ＰＤＣＰエンティティは、ＰＤＣＰ９３９サブレイヤに位置し、ＲＬＣエンティティは、ＲＬＣサブレイヤ９４１に位置し、ＭＡＣエンティティは、ＭＡＣサブレイヤ９４３に位置し、ＰＨＹエンティティは、ＰＨＹサブレイヤ９４５に位置する。
【０１２０】
マルチ接続性においては、ＵＥ９０２が１つより多いＰＨＹエンティティおよび１つより多いＭＡＣエンティティを有することに留意すべきである。１つの無線接続（例えば、無線インターフェース）は、１つのＰＨＹエンティティおよび１つのＭＡＣエンティティを含む。例えば、１次無線接続が１つのＰＨＹエンティティおよび１つのＭＡＣエンティティを含み、２次無線接続が１つのＰＨＹエンティティおよび１つのＭＡＣエンティティを含む。ネットワークノードごとに無線リソース管理のフレキシビリティを有効にするために、無線接続ごとに別個のＣ−ＲＮＴＩが割り当てられる。
【０１２１】
図１０は、制御プレーン・プロトコルスタックの一構成を示すブロック図である。図１０に関連して記載されるＵＥ１００２は、図１に関連して記載されたＵＥ１０２に従って実装される。図１０に関連して記載されるｅＮＢ１０６０は、図１に関連して記載されたｅＮＢ１６０に従って実装される。図１０に関連して記載されるＭＭＥ１０２７は、図８に関連して記載されたＭＭＥ８２７に従って実装される。
【０１２２】
ＵＥ１００２のための制御プレーン・プロトコルスタックは、ＰＤＣＰ１０３９ａ、ＲＬＣ１０４１ａ、ＭＡＣ１０４３ａおよびＰＨＹ１０４５ａサブレイヤを含む。ＵＥ１００２は、ＮＡＳ１０４７ａおよびＲＲＣ１０４９ａサブレイヤも含む。ｅＮＢ１０６０のための制御プレーン・プロトコルスタックは、ＲＲＣ１０４９ｂ、ＰＤＣＰ１０３９ｂ、ＲＬＣ１０４１ｂ、ＭＡＣ１０４３ｂおよびＰＨＹ１０４５ｂサブレイヤを含む。ＭＭＥ１０２７は、ＮＡＳ１０４７ｂサブレイヤを含む。（ネットワーク側のｅＮＢ１０６０で終端する）ＰＤＣＰ１０３９ｂサブレイヤは、制御プレーンのための機能（例えば、暗号化およびインテグリティプロテクション）を行う。（ネットワーク側のｅＮＢ１０６０で終端する）ＲＬＣ１０４１ｂおよびＭＡＣ１０４３ｂサブレイヤは、ユーザプレーンのためと同じ機能を行う。
【０１２３】
（ネットワーク側のｅＮＢ１０６０で終端する）ＲＲＣ１０４９ｂサブレイヤは、次の機能を行う。ＲＲＣ１０４９ｂサブレイヤは、ブロードキャスト機能、ページング、ＲＲＣ１０４９接続管理、無線ベアラ（ＲＢ）制御、モビリティ機能、ＵＥ１００２測定報告および制御を行う。（ネットワーク側のＭＭＥ１０２７で終端する）ＮＡＳ１０４７制御プロトコルは、とりわけ、進化型パケットシステム（ＥＰＳ：ｅｖｏｌｖｅｄ  ｐａｃｋｅｔ  ｓｙｓｔｅｍ）ベアラ管理、認証、進化型パケットシステム接続管理（ＥＣＭ：ｅｖｏｌｖｅｄ  ｐａｃｋｅｔ  ｓｙｓｔｅｍ  ｃｏｎｎｅｃｔｉｏｎ  ｍａｎａｇｅｍｅｎｔ）−ＩＤＬＥモビリティ処理、ＥＣＭ−ＩＤＬＥでのページング発信およびセキュリティ制御を行う。
【０１２４】
図１１は、第１のセル１１５３および第２のセル１１５５がコロケートされ、オーバーレイされて、ほぼ等しいカバレッジを有する、キャリアアグリゲーション構成を示すブロック図である。従来のキャリアアグリゲーションでは、より広い送信バンド幅（例えば、１００ＭＨｚまで）をサポートするために、２つ以上のコンポーネントキャリア（ＣＣ：ｃｏｍｐｏｎｅｎｔ  ｃａｒｒｉｅｒ）が集約される。ＵＥ１０２は、ＵＥ１０２の能力に依存して１つまたは複数のＣＣ上で同時に受信または送信する。例えば、リリース１０およびそれ以降によれば、キャリアアグリゲーションに対する受信および／または送信能力をもつＵＥ１０２は、複数の在圏セルに対応する複数のＣＣ上で同時に受信および／または送信する。リリース８およびリリース９によれば、ＵＥ１０２は、１つの在圏セルに対応する単一のＣＣ上で受信して、単一のＣＣ上で送信する。
【０１２５】
キャリアアグリゲーションが構成されるときに、ＵＥ１０２は、ネットワークとの１つのＲＲＣ接続を有する。１つの無線インターフェースは、キャリアアグリゲーションを提供する。ＲＲＣ接続確立、再確立およびハンドオーバの間に、１つの在圏セルは、ＮＡＳモビリティ情報（例えば、トラッキングエリア・アイデンティティ（ＴＡＩ：ｔｒａｃｋｉｎｇ  ａｒｅａ  ｉｄｅｎｔｉｔｙ））を提供する。ＲＲＣ接続再確立およびハンドオーバの間に、１つの在圏セルは、セキュリティ入力を供給する。このセルは、プライマリセル（ＰＣｅｌｌ）と呼ばれる。下りリンクでは、ＰＣｅｌｌに対応するコンポーネントキャリアは、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）であり、一方で上りリンクでは、ＰＣｅｌｌに対応するコンポーネントキャリアは、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。
【０１２６】
ＵＥ１０２の能力に依存して、ＰＣｅｌｌとともに在圏セルのセットを形成するために１つ以上のＳＣｅｌｌが構成される。下りリンクでは、ＳＣｅｌｌに対応するコンポーネントキャリアは、下りリンク・セカンダリコンポーネントキャリア（ＤＬＳＣＣ：ｄｏｗｎｌｉｎｋ  ｓｅｃｏｎｄａｒｙ  ｃｏｍｐｏｎｅｎｔ  ｃａｒｒｉｅｒ）であり、一方で上りリンクでは、ＳＣｅｌｌに対応するコンポーネントキャリアは、上りリンク・セカンダリコンポーネントキャリア（ＵＬＳＣＣ：ｕｐｌｉｎｋ  ｓｅｃｏｎｄａｒｙ  ｃｏｍｐｏｎｅｎｔ  ｃａｒｒｉｅｒ）である。
【０１２７】
ＵＥ１０２のための在圏セルの構成セットは、それゆえに、１つのＰＣｅｌｌおよび１つ以上のＳＣｅｌｌからなる。ＳＣｅｌｌごとに、ＵＥ１０２による（下りリンク・リソースに加えて）上りリンク・リソースの使用法を構成できる。構成されるＤＬＳＣＣの数は、ＵＬＳＣＣの数以上であってもよく、いずれのＳｃｅｌｌも上りリンク・リソースのみの使用のために構成されなくてもよい。
【０１２８】
ＵＥ１０２の観点から、それぞれの上りリンク・リソースは、１つの在圏セルに属する。構成される在圏セルの数は、ＵＥ１０２のアグリゲーション能力に依存する。ＰＣｅｌｌは、ハンドオーバ手順によってのみ（例えば、セキュリティ・キー変更およびＲＡＣＨ手順を用いて）変更される。ＰＣｅｌｌは、ＰＵＣＣＨの送信に用いられる。ＳＣｅｌｌとは異なり、ＰＣｅｌｌは、非アクティブ化されない。再確立は、ＰＣｅｌｌが無線リンク障害（ＲＬＦ：ｒａｄｉｏ  ｌｉｎｋ  ｆａｉｌｕｒｅ）を経験したときにトリガされ、ＳＣｅｌｌがＲＬＦを経験したときにはトリガされない。そのうえ、ＮＡＳ情報は、ＰＣｅｌｌから取得される。
【０１２９】
ＳＣｅｌｌの再構成、追加および除去は、ＲＲＣによって行われる。ＬＴＥ内ハンドオーバのときに、ＲＲＣは、ターゲットＰＣｅｌｌとともに用いるためにＳＣｅｌｌをやはり追加、除去または再構成する。新しいＳＣｅｌｌを追加するときに、ＳＣｅｌｌのすべての必要なシステム情報を送信するために専用ＲＲＣシグナリングが用いられる（例えば、接続モードの間に、ＵＥ１０２は、ブロードキャストされたシステム情報をＳＣｅｌｌから直接に得る必要はない）。
【０１３０】
図１１に示されるように、１つのキャリアアグリゲーション配備構成は、コロケートされ、オーバーレイされた周波数１（Ｆ１）セル１１５３および周波数２（Ｆ２）セル１１５５を含む。留意すべきは、キャリアアグリゲーションのシナリオ（例えば、配備構成）がスモールセルのシナリオには依存しないことである。図１１に関連して記載されるｅＮＢ１１６０ａ〜ｃは、図１に関連して記載されたｅＮＢ１６０に従って実装される。この構成では、複数のｅＮＢ１１６０ａ〜ｃがＦ１セル１１５３およびＦ２セル１１５５に対してカバレッジを提供する。本明細書に開示されるシステムおよび方法は、Ｆ１セル１１５３とＦ２セル１１５５との間の無線インターフェースを確立するために用いられる。
【０１３１】
Ｆ１セル１１５３およびＦ２セル１１５５のカバレッジは、同じか、またはほぼ同じである。両方のレイヤ（例えば、周波数レイヤ）が十分なカバレッジを提供し、両方のレイヤ上でモビリティがサポートされる。この構成に関するシナリオは、Ｆ１セル１１５３およびＦ２セル１１５５が同じバンド（例えば、２ギガヘルツ（ＧＨｚ）、８００ＭＨｚなど）であるときに有望であろう。キャリアアグリゲーションは、オーバーレイされたＦ１セル１１５３とＦ２セル１１５５との間で可能なことが期待される。
【０１３２】
図１２は、第１のセル１２５３および第２のセル１２５５がコロケートされ、オーバーレイされるが、第２のセル１２５５の方がより小さいカバレッジを有するキャリアアグリゲーション構成を示すブロック図である。図１２に関連して記載されるｅＮＢ１２６０ａ〜ｃは、図１に関連して記載されたｅＮＢ１６０に従って実装される。この構成では、複数のｅＮＢ１２６０ａ〜ｃがＦ１セル１２５３およびＦ２セル１２５５にカバレッジを提供する。本明細書に開示されるシステムおよび方法は、Ｆ１セル１２５３とＦ２セル１２５５との間の無線インターフェースを確立するために用いられる。
【０１３３】
この構成では、Ｆ１セル１２５３およびＦ２セル１２５５は、コロケートされ、オーバーレイされるが、Ｆ２セル１２５５の方がより大きいパスロスに起因してより小さいカバレッジを有する。Ｆ１セル１２５３のみが十分なカバレッジを提供し、Ｆ２セル１２５５は、スループットを改善するために用いられる。モビリティは、Ｆ１セル１２５３のカバレッジに基づいて行われる。この構成に関するシナリオは、Ｆ１セル１２５３およびＦ２セル１２５５が異なるバンドであるときに有望であろう。例えば、Ｆ１セル１２５３が８００ＭＨｚまたは２ＧＨｚに等しく、Ｆ２セル１２５５が３．５ＧＨｚに等しいなどである。キャリアアグリゲーションは、オーバーレイされたＦ１セル１２５３とＦ２セル１２５５との間で可能なことが期待される。
【０１３４】
図１３は、第１のセル１３５３および第２のセル１３５５がコロケートされるが、第２のセル１３５５のアンテナが第１のセル１３５３のセル境界へ向けられたキャリアアグリゲーション構成を示すブロック図である。図１３に関連して記載されるｅＮＢ１３６０ａ〜ｃは、図１に関連して記載されたｅＮＢ１６０に従って実装される。本明細書に開示されるシステムおよび方法は、Ｆ１セル１３５３とＦ２セル１３５５との間の無線インターフェースを確立するために用いられる。
【０１３５】
この構成では、Ｆ１セル１３５３およびＦ２セル１３５５は、コロケートされるが、Ｆ２セル１３５５のアンテナは、セルエッジのスループットを向上するようにＦ１セル１３５３のセル境界へ向けられる。Ｆ１セル１３５３は、十分なカバレッジを提供するが、Ｆ２セル１３５３は、（例えば、より大きいパスロスに起因して）ホールを有する可能性がある。モビリティは、Ｆ１セル１３５３のカバレッジに基づく。この構成に関するシナリオは、Ｆ１セル１３５３およびＦ２セル１３５５が異なるバンドであるときに有望であろう。例えば、Ｆ１セル１３５３が８００ＭＨｚまたは２ＧＨｚに等しく、Ｆ２セル１３５５が３．５ＧＨｚに等しいなどである。同じｅＮＢ１３６０のＦ１セル１３５３およびＦ２セル１３５５は、カバレッジが重なり合うところで集約されることが期待される。
【０１３６】
図１４は、第１のセル１４５３がマクロカバレッジを提供し、第２のセル１４５５上のリモートラジオヘッド（ＲＲＨ）１４５７ａ〜ｊがホットスポットにおけるスループットを改善するために用いられるキャリアアグリゲーション構成を示すブロック図である。図１４に関連して記載されるｅＮＢ１４６０ａ〜ｃは、図１に関連して記載されたｅＮＢ１６０に従って実装される。この構成では、複数のｅＮＢ１４６０ａ〜ｃが第１のセル１４５３にマクロカバレッジを提供する。ＲＲＨ１４５７ａ〜ｊは、ｅＮＢ１４６０ａ〜ｃに接続されて、第２のセル１４５５のカバレッジを提供する。本明細書に開示されるシステムおよび方法は、Ｆ１セル１４５３とＦ２セル１４５５との間の無線インターフェースを確立するために用いられる。
【０１３７】
この構成では、Ｆ１セル１４５３がマクロカバレッジを提供し、Ｆ２セル１４５５上のリモートラジオヘッド（ＲＲＨ）１４５７ａ〜ｊがホットスポットにおけるスループットを改善するために用いられる。モビリティは、Ｆ１セル１４５３のカバレッジに基づいて行われる。この構成に関するシナリオは、Ｆ１セル１４５３およびＦ２セル１４５５が異なるバンドであるときに有望であろう。例えば、Ｆ１セル１４５３が９００ＭＨｚまたは２ＧＨｚに等しく、Ｆ２セル１４５５が３．５ＧＨｚに等しいなどである。Ｆ２  ＲＲＨセル１４５５は、基礎をなすＦ１セル１４５３（例えば、マクロセル）と集約されることが期待される。
【０１３８】
図１５は、周波数選択リピータ１５５９ａ〜ｃが配備されたキャリアアグリゲーション構成を示すブロック図である。この構成は、図１０に関連して記載された構成と同様である。本明細書に開示されるシステムおよび方法は、Ｆ１セル１５５３とＦ２セル１５５５との間の無線インターフェースを確立するために用いられる。この構成では、キャリア周波数のうちの１つに対してカバレッジが拡張されるように周波数選択リピータ１５５９ａ〜ｃが配備される。図１５に関連して記載されるｅＮＢ１５６０ａ〜ｃは、図１に関連して記載されたｅＮＢ１６０に従って実装される。複数のｅＮＢ１５６０ａ〜ｃがＦ１セル１５５３と関連付けられる。Ｆ１セル１５５３およびＦ２セル１５５５は、カバレッジが重なり合うところで集約されることが期待される。
【０１３９】
図１６は、マクロカバレッジ有りおよび無しのスモールセルに関する複数カバレッジのシナリオ１６６１ａ〜ｄを示すブロック図である。図１６に関連して記載されるｅＮＢ１６６０ａ〜ｋは、図１に関連して記載されたｅＮＢ１６０に従って実装される。カバレッジのシナリオ１６６１ａ〜ｄは、低電力ノード（例えば、ｅＮＢ１６６０ｂ〜ｋ）を用いた屋内および屋外のシナリオを含む。これらの低電力ノードは、スモールセル・カバレッジ（例えば、Ｆ２カバレッジ１６５５）を提供する。ｅＮＢ１６６０ａは、マクロセル・カバレッジ（例えば、Ｆ１カバレッジ１６５３）を提供する。
【０１４０】
スモールセル強化は、マクロカバレッジが存在するか、または存在しない両方のシナリオを対象とする。本明細書に記載されるシステムおよび方法は、スモールセル配備のシナリオで複数の接続を確立するステップを提供する。これらのシナリオは、屋外および屋内の両方のスモールセル配備と理想的および非理想的な両方のバックホールとを含む。加えて、複数の接続は、粗および密の両方のスモールセル配備において確立される。
【０１４１】
Ｅ−ＵＴＲＡＮアーキテクチャは、スモールセル強化のためのシステムおよびモビリティ性能を達成することが可能である。例えば、インターフェース（接続）のタイプが確定される前に、Ｅ−ＵＴＲＡＮアーキテクチャは、所望の改善を得るためにはノード間でどの種類の情報を交換する必要があるか（または有益であるか）を識別する。いくつかの実装において、本明細書に記載されるシステムおよび方法は、スモールセル配備およびオペレーションの強化されたサポートを提供するプロトコルおよびアーキテクチャのうちで可能性のある技術を識別する。いくつかの構成において、これらの可能な技術は、ＴＲ３６．９３２に記載されるようなシナリオおよび要件に従って実装される。
【０１４２】
例えば、本明細書に記載されるシステムおよび方法は、異なる（または同じ）キャリア（単数または複数）によるサービスを享受するマクロおよびスモールセル・レイヤへのマルチ接続性を有するＵＥ１０２の利益を識別して評価する。本明細書に記載されるシステムおよび方法は、マルチ接続性が実行可能かつ有益であるシナリオも識別して評価する。
【０１４３】
本明細書に記載されるシステムおよび方法は、（ＴＲ３６．３９２に記載されるような）異なるシナリオに関して可能性のあるアーキテクチャおよびプロトコル強化を識別して評価する。異なるシナリオは、マルチ接続性を実装して、コアネットワークの影響を最小限に抑えるシナリオを含む。例えば、本明細書に記載されるシステムおよび方法は、制御プレーンおよびユーザプレーンの全体構造とそれらの相互関係とを提供する。例えば、制御プレーンおよびユーザプレーンは、異なるノード、異なるプロトコル・レイヤの終端などでサポートされてもよい。
【０１４４】
スモールセル配備のシナリオでは、各ノード（例えば、ｅＮＢ１６６０ａ〜ｋ）がそれ自体の独立したスケジューラを有する。無線リソースを効率的に利用するために、ＵＥ１０２は、異なるスケジューラを有する複数のノードに接続する。異なるスケジューラを有する複数のノードに接続するために、ＵＥ１０２とＥ−ＵＴＲＡＮ４３５との間の複数の接続が確立される。
【０１４５】
第１のカバレッジのシナリオ１６６１ａは、マクロカバレッジ（例えば、Ｆ１）がある単一のスモールセル（例えば、Ｆ２）を示す。図１６では、Ｆ１は、マクロレイヤのためのキャリア周波数であり、Ｆ２は、ローカルノードレイヤのキャリア周波数である。第１のカバレッジのシナリオ１６６１ａでは、マクロセルがスモールセルと重なり合う。
【０１４６】
第２のカバレッジのシナリオ１６６１ｂは、マクロカバレッジのない単一のスモールセルを示す。第３のカバレッジのシナリオ１６６１ｃは、重なり合うマクロセル・カバレッジがある複数のスモールセルを示す。第４のカバレッジのシナリオ１６６１ｄは、マクロセル・カバレッジのない複数のスモールセルを示す。
【０１４７】
図１７は、複数の無線接続を確立するためのシステムおよび方法が実装されたＥ−ＵＴＲＡＮ１７３５およびＵＥ１７０２の一構成を示すブロック図である。図１７に関連して記載されるＵＥ１７０２およびＥ−ＵＴＲＡＮ１７３５は、図１および６のうちの少なくとも１つに関連して記載された対応する要素に従って実装される。
【０１４８】
図１７は、無線接続１７６９ａ〜ｂごとにＣ−ＲＮＴＩ１７６５ａ〜ｂを示す。無線接続１７６９ａ〜ｂごとに１つのＣ−ＲＮＴＩ１７６５ａ〜ｂを用いると、無線リソース管理におけるフレキシビリティが維持される。例えば、第１のＣ−ＲＮＴＩ１７６５ａは、１次無線接続１７６９ａに割り当てられる。第２のＣ−ＲＮＴＩ１７６５ｂは、２次無線接続１７６９ｂに割り当てられる。いくつかの実装において、第１のＣ−ＲＮＴＩ１７６５ａは、リリース１１に従って割り当てられる。例えば、第１のＣ−ＲＮＴＩ１７６５ａは、ランダムアクセス後に割り当てられる。いくつかの場合、ランダムアクセスは、ＵＥ１７０２がＲＲＣ＿ＩＤＬＥ状態にあるときか、またはＵＥ１７０２がＲＲＣ接続再確立手順を完了したときの最初のアクセスを含む。別の例では、第１のＣ−ＲＮＴＩ１７６５ａは、ハンドオーバ手順の間にアップデートされる。
【０１４９】
（２次無線接続１７６９ｂのための）第２のＣ−ＲＮＴＩ１７６５ｂは、Ｅ−ＵＴＲＡＮ１７３５（例えば、ＰｅＮＢ１７６０ａまたはＳｅＮＢ１７６０ｂ）からＵＥ１７０２への制御シグナリング（例えば、ＲＲＣ専用シグナリング）によって割り当てられる。第１のＣ−ＲＮＴＩ１７６５ａおよび第２のＣ−ＲＮＴＩ１７６５ｂの使用法は、表（２）に関連して記載された使用法に従う。
【０１５０】
いくつかの実装において、Ｃ−ＲＮＴＩ１７６５は、セルに固有である。例えば、あるセルに関して、第１のＣ−ＲＮＴＩ１７６５ａ（または第２のＣ−ＲＮＴＩ１７６５ｂ）の値がＵＥ１７０２のために用いられる。この例では、この値は、セルにおける別のＣ−ＲＮＴＩ１７６５に用いられてはならない。Ｅ−ＵＴＲＡＮ１７３５は、Ｃ−ＲＮＴＩ値が互いにコンフリクトしないように第１のＣ−ＲＮＴＩ１７６５ａおよび／または第２のＣ−ＲＮＴＩ１７６５ｂの割り当てをＵＥ１７０２ごとに管理する。また、留意すべきは、無線接続１７６９においてＵＥ１７０２が複数の在圏セルを用いて構成されている場合、これらの在圏セルには無線接続１７６９ごとに同じＣ−ＲＮＴＩ１７６５が割り当てられることである。
【０１５１】
いくつかの実装において、Ｅ−ＵＴＲＡＮ１７３５は、ｅＮＢ１７６０ａおよびＳｅＮＢ１７６０ｂを含む。ＵＥ１７０２は、１次無線接続１７６９ａを通じてＰｅＮＢ１７６０ａと通信する。ＵＥ１７０２は、２次無線接続１７６９ｂを通じてＳｅＮＢ１７６０ｂと通信する。図１７は、１つの１次無線接続１７６９ａおよび１つの２次無線接続１７６９ｂを示すが、ＵＥ１７０２は、１つの１次無線接続１７６９ａおよび１つ以上の２次無線接続１７６９ｂを用いて構成されてもよい。ＰｅＮＢ１７６０ａおよびＳｅＮＢ１７６０ｂは、図１に関連して記載されたｅＮＢ１６０に従って実装される。
【０１５２】
ＰｅＮＢ１７６０ａは、１つ以上のＵＥ１７０２への接続のための複数のセル１７６７ａ〜ｃを提供する。例えば、ＰｅＮＢ１７６０ａは、セルＡ１７６７ａ、セルＢ１７６７ｂおよびセルＣ１７６７ｃを提供する。同様に、ＳｅＮＢ１７６０ｂは、複数のセル１７６７ｄ〜ｆを提供する。ＵＥ１７０２は、１次無線接続１７６９ａ（例えば、１次Ｕｕインターフェース）のために１つ以上のセル（例えば、セルＡ１７６７ａ、セルＢ１７６７ｂおよびセルＣ１７６７ｃ）上で送信／受信するように構成される。ＵＥ１７０２は、また、２次無線接続１７６９ｂ（例えば、２次Ｕｕインターフェース）のために１つ以上の他のセル（例えば、セルＤ１７６７ｄ、セルＥ１７６７ｅおよびセルＦ１７６７ｆ）上で送信／受信するように構成される。ＵＥ１７０２が無線接続１７６９ａ〜ｂのために複数のセル１７６７ａ〜ｆ上で送信／受信するように構成されている場合、キャリアアグリゲーション・オペレーションが無線接続１７６９ａ〜ｂに適用される。いくつかの実装では、２次無線接続１７６９ｂのためのセルＡ１７６７ａおよび１次無線接続１７６９ａのためのセルＤ１７６７ｄを用いて別のＵＥ１７０２が構成されてもよい。この実装では、無線接続１７６９へのセルのマッピングは、ＵＥ１７０２固有の構成である。
【０１５３】
上記のように、１つのＭＡＣエンティティ１７７１ａ〜ｂおよび１つのＰＨＹエンティティ１７７３ａ〜ｂが１つの無線接続１７６９ａ〜ｂへマッピングされる。例えば、第１のＭＡＣエンティティ１７７１ａおよび第１のＰＨＹエンティティ１７７３ａは、１次無線接続１７６９ａへマッピングされる。同様に、第２のＭＡＣエンティティ１７７１ｂおよび第２のＰＨＹエンティティ１７７３ｂは、２次無線接続１７６９ｂへマッピングされる。
【０１５４】
いくつかの実装において、ＰｅＮＢ１７６０ａは、構成セル１７６７ａ〜ｃを用いるＵＥ１７０２ごとに少なくとも１つのＣ−ＲＮＴＩ１７６５を管理して記憶する。例えば、ＰｅＮＢ１７６０ａは、ＰｅＮＢ１７６０ａとの１次無線接続１７６９ａを有するＵＥ１７０２に対応する複数の第１のＣ−ＲＮＴＩ１７６５ａを管理して記憶する。同様に、ＳｅＮＢ１７６０ｂは、構成セル１７６７ｄ〜ｆを用いるＵＥ１７０２ごとに２次無線接続（単数または複数）１７６９ｂのための少なくとも１つのＣ−ＲＮＴＩ１７６５ｂを管理して記憶する。例えば、ＳｅＮＢ１７６０ｂは、ＳｅＮＢ１７６０ｂとの２次無線接続１７６９ｂを有するＵＥ１７０２に対応する複数の第２のＣ−ＲＮＴＩ１７６５ｂを管理して記憶する。
【０１５５】
いくつかの実装において、ＰｅＮＢ１７６０ａは、ＰｅＮＢ１７６０ａとの２次無線接続を有するＵＥ１７０２に対応する複数の第２のＣ−ＲＮＴＩ１７６５ｂも管理して記憶する。ｅＮＢ１７６０ａとの２次無線接続を有するＵＥにとって、ｅＮＢ１７６０ａは、（代わりに）ＳｅＮＢと見なされるべきである。この実装では、ｅＮＢは、ＰｅＮＢ１７６０ａとしてもＳｅＮＢ１７６０ｂとしても振舞う。
【０１５６】
いくつかの実装において、ＭＡＣエンティティ１７７１ａ〜ｂは、ＲＲＣエンティティ１７７５とのインターフェースを有する。この実装では、ＲＲＣエンティティ１７７５は、第１のＣ−ＲＮＴＩ１７６５ａを第１のＭＡＣエンティティ１７７１ａへ供給し、第２のＣ−ＲＮＴＩ１７６５ｂを第２のＭＡＣエンティティ１７７１ｂへ供給する。ＲＲＣエンティティ１７７５は、Ｅ−ＵＴＲＡＮ１７３５の（示されない）ＲＲＣエンティティからＲＲＣメッセージ（例えば、ＲＲＣ接続再構成メッセージ、接続制御メッセージ、ハンドオーバ・コマンドなど）を受信する。ＲＲＣエンティティ１７７５は、また、Ｅ−ＵＴＲＡＮ１７３５の（示されない）ＲＲＣエンティティへＲＲＣメッセージ（例えば、ＲＲＣ接続再構成完了メッセージ）を送信する。ＲＲＣエンティティ１７７５は、また、第１のＣ−ＲＮＴＩ１７６５ａおよび第２のＣ−ＲＮＴＩ１７６５ｂを記憶する。ＭＡＣエンティティ１７７１ａ〜ｂは、Ｃ−ＲＮＴＩ１７６５に基づいてＰＤＣＣＨ（またはＥＰＤＣＣＨ）の復号を制御する。
【０１５７】
図１８は、複数の無線接続を確立するためのシステムおよび方法が実装されたｅＮＢ１８６０ａ〜ｂおよびＵＥ１８０２の一構成を示すスレッド図１８００である。具体的には、図１８は、無線接続を追加するための手順の一例を示す。図１８に関連して記載されるｅＮＢ１８６０ａ〜ｂおよびＵＥ１８０２は、図１に関連して記載された１つ以上の対応する要素に従って実装される。
【０１５８】
ＰｅＮＢ１８６０ａは、レイヤ３（Ｌ３）シグナリング（例えば、ＲＲＣメッセージ）を通じてＵＥ１８０２測定手順を構成する。ＵＥ１８０２測定手順は、エリア制限情報に基づく。ＰｅＮＢ１８６０ａによって提供される測定は、ＵＥ１８０２の接続モビリティの制御を助ける。ＰｅＮＢ１８６０ａは、次に、測定制御をＵＥ１８０２へ送信する（ステップ１８７７）。ＰｅＮＢ１８６０ａは、レイヤ１（Ｌ１）／レイヤ２（Ｌ２）シグナリング（例えば、ＰＤＣＣＨ、ＭＡＣ制御要素）を通じて上りリンク割り当てをＵＥ１８０２へ送信する（ステップ１８７９）。
【０１５９】
測定制御は、測定報告をＰｅＮＢ１８６０ａへ送信する（ステップ１８８１）ようにＵＥ１８０２をトリガする。ＵＥ１８０２は、１つ以上のルール（例えば、システム情報、仕様など）に基づいて測定報告を送信する（ステップ１８８１）ようにトリガされる。測定報告および他の情報に基づいて、ＰｅＮＢ１８６０ａは、ＵＥ１８０２への別の接続を追加することを決定する（ステップ１８８３）。他の情報の例は、無線リソース管理情報を含む。
【０１６０】
ＰｅＮＢ１８６０ａは、次に、接続要求メッセージをＳｅＮＢ１８６０ｂへ発する（ステップ１８８５）。接続要求メッセージは、測定報告および無線リソース管理情報に基づく。接続要求メッセージは、ＳｅＮＢ１８６０ｂが接続の追加を準備することを許可する必要情報を含む。例えば、接続要求メッセージは、ＰｅＮＢにおけるＵＥ１８０２のＣ−ＲＮＴＩ、ＱｏＳ情報などを含んだＲＲＣコンテキストを含む。ＵＥ  Ｘ２およびＵＥ  Ｓ１シグナリング参照のうちの１つ以上は、ＳｅＮＢ１８６０ｂがＰｅＮＢ１８６０ａおよび進化型パケットコア（ＥＰＣ）をアドレス指定することを可能にする。
【０１６１】
ＳｅＮＢ１８６０ｂは、受付制御を行う（ステップ１８８７）。いくつかの実装において、受付制御は、受信されたＱｏＳ情報に基づく。受付制御は、ＳｅＮＢ１８６０ｂがリソースを付与できる場合、必要とされるＱｏＳが達成されるかどうかを接続制御の成功の可能性を高めるために評価する。いくつかの実装において、ＳｅＮＢ１８６０ｂは、受信されたＱｏＳ情報に従ってリソースを構成する。ＳｅＮＢ１８６０は、また、Ｃ−ＲＮＴＩ、セル、および随意的にＲＡＣＨプリアンブル・アイデンティティのうちの１つ以上を予約する。
【０１６２】
ＳｅＮＢ１８６０ｂは、ＳｅＮＢ１６６０ｂのＬ１（ＰＨＹ）およびＬ２（ＭＡＣ）エンティティのうちの１つ以上との接続の追加を準備して、接続要求確認応答（Ａｃｋ：ａｃｋｎｏｗｌｅｄｇｅ）をＰｅＮＢ１８６０ａへ送信する（ステップ１８８９）。接続要求Ａｃｋは、接続の追加を行うようにＵＥ１８０２に指示する（例えば、ＲＲＣ接続再構成メッセージにおける）接続制御メッセージとして（例えば、ＰｅＮＢ１８６０ａから）ＵＥ１８０２へ送信されることになる透過的なコンテナを含む。このコンテナは、新しいＣ−ＲＮＴＩ（例えば、第２のＣ−ＲＮＴＩ）、２次無線接続においてアクセスされることになるセル（例えば、ターゲットセル）の物理セル識別子、選択されたセキュリティ・アルゴリズムのＳｅＮＢ１８６０ｂセキュリティ・アルゴリズム識別子および専用ＲＡＣＨプリアンブル・アイデンティティを含む。接続制御メッセージは、他のパラメータ（例えば、無線ベアラ構成、アクセス・パラメータ、ＳＩＢなど）も含んでよい。特に、接続制御メッセージは、専用ＲＡＣＨプリアンブル・アイデンティティが含まれるか否かを示す。
【０１６３】
ＰｅＮＢ１８６０ａは、ＵＥ１８０２へ送信されることになる接続の追加を行うための命令を含む、ＲＲＣ接続再構成メッセージ（例えば、接続制御メッセージを含んだＲＲＣＣｏｎｎｅｃｔｉｏｎＲｅｃｏｎｆｉｇｕｒａｔｉｏｎメッセージ）を生成する。（便宜上、図１８では「ＲＲＣ  Ｃｏｎｎ．Ｒｅｃｏｎｆ．」と略記される）接続制御メッセージをスケジュールする（ステップ１８９３）ために、ＰｅＮＢ１８６０ａは、Ｌ１／Ｌ２シグナリングを通じて下りリンク割り当てをＵＥ１８０２へ送信する（ステップ１８９１）。
【０１６４】
ＵＥ１８０２は、接続制御メッセージを含んだＲＲＣ接続再構成メッセージ（例えば、必要なパラメータ（２次無線接続のためのＣ−ＲＮＴＩ、ＳｅＮＢ１８６０ｂセキュリティ・アルゴリズム識別子、および随意的に専用ＲＡＣＨプリアンブル・アイデンティティ、ＳｅＮＢ１８６０ｂ  ＳＩＢなど）をもつＲＲＣＣｏｎｎｅｃｔｉｏｎＲｅｃｏｎｆｉｇｕｒａｔｉｏｎメッセージ）を受信する。ＰｅＮＢ１８６０ａは、次に、接続の追加を行うようにＵＥ１８０２に命じるか、または指示する。
【０１６５】
接続制御メッセージ（例えば、ＲＲＣＣｏｎｎｅｃｔｉｏｎＲｅｃｏｎｆｉｇｕｒａｔｉｏｎメッセージに含まれる接続制御メッセージ）を受信した後、ＵＥ１８０２は、ＳｅＮＢ１８６０ｂと同期して（ステップ１８９５）（例えば、同期信号を得て）、ＲＡＣＨを通じてターゲットセルにアクセスする（例えば、ランダムアクセス手順を行う）。ＵＥ１８０２は、専用ＲＡＣＨプリアンブルが接続制御情報中に示された（例えば、専用ＲＡＣＨプリアンブル・アイデンティティが接続制御メッセージに含まれた）場合、競合のないランダムアクセス手順（例えば、非競合ベースのランダムアクセス手順）に従ってターゲットセルにアクセスする。これに対して、ＵＥ１８０２は、専用プリアンブルが何も示されなかった場合、競合ベースのランダムアクセス手順に従ってターゲットセルにアクセスする。いくつかの実装において、ＵＥ１８０２は、ＳｅＮＢ１８６０ｂの固有鍵を導出して、ターゲットセルで用いられることになる選択されたセキュリティ・アルゴリズムを構成する。
【０１６６】
いくつかの実装において、ＳｅＮＢ１８６０ｂは、上りリンク割り当ておよびタイミングアドバンスをＵＥ１８０２へ送信する（ステップ１８９７）ことによりランダムアクセスに応答する。次に、ＵＥ１８０２がターゲットセルに首尾よくアクセスしたとき、ＵＥ１８０２は、接続の追加を確認するために、第２のＣ−ＲＮＴＩを含むＲＲＣ接続再構成完了メッセージ（例えば、ＲＲＣＣｏｎｎｅｃｔｉｏｎＲｅｃｏｎｆｉｇｕｒａｔｉｏｎＣｏｍｐｌｅｔｅメッセージ）を送信する（ステップ１８９９）。ＵＥ１８０２は、また、接続追加手順がＵＥ１８０２で完了したことを示すために、上りリンクバッファ状況報告をＳｅＮＢ１８６０ｂへ送信する。ＳｅＮＢ１８６０ｂは、ＲＲＣ接続再構成完了メッセージ（例えば、ＲＲＣＣｏｎｎｅｃｔｉｏｎＲｅｃｏｎｆｉｇｕｒａｔｉｏｎＣｏｍｐｌｅｔｅメッセージ）で送信された第２のＣ−ＲＮＴＩを検証する。ＳｅＮＢ１８６０ｂは、次に、ＵＥ１８０２へデータを送信し始める。
【０１６７】
留意すべきは、方法の異なるステップには異なるレベルのシグナリングが用いられることである。例えば、測定制御を送信するステップ１８７７、測定報告を送信するステップ１８８１、接続要求を送信するステップ１８８５、接続要求確認応答を送信するステップ１８８９、接続制御メッセージを送信するステップ１８９３、およびＲＲＣ接続再構成完了メッセージを送信するステップ１８９９のうちの１つ以上は、Ｌ３シグナリングを用いて行われる。これに対して、上りリンク割り当てを送信するステップ１８７９、下りリンク割り当てを送信するステップ１８９１、同期するステップ１８９５、ならびに上りリンク割り当ておよびタイミングアドバンスを送信するステップ１８９７のうちの１つ以上は、Ｌ１およびＬ２シグナリングのうちの１つ以上を用いて行われる。
【０１６８】
図１９は、複数の無線接続を確立するためのシステムおよび方法が実装されたｅＮＢ１９６０ａ〜ｂおよびＵＥ１９０２の一構成を示すスレッド図１９００である。具体的には、図１９は、無線接続においてセルを変更する（例えば、２次無線接続におけるハンドオーバ）のための手順の例を示す。この例では、ＰｅＮＢとソースＳｅＮＢとの間の情報交換は、省略される。図１９に関連して記載されるｅＮＢ１９６０ａ〜ｂおよびＵＥ１９０２は、図１に関連して記載された１つ以上の対応する要素に従って実装される。
【０１６９】
ｅＮＢ１９６０ａ（例えば、ＰｅＮＢまたはソースＳｅＮＢ）は、ＵＥ１９０２測定手順を構成する。ＵＥ１９０２測定手順は、エリア制限情報に基づく。ｅＮＢ１９６０ａによって提供された測定は、ＵＥ１９０２の接続モビリティの制御を助ける。ｅＮＢ１９６０ａは、次に、測定制御をＵＥ１９０２へ送信する（ステップ１９７７）。ｅＮＢ１９６０ａは、Ｌ１／Ｌ２シグナリング（例えば、ＰＤＣＣＨ、ＭＡＣ制御要素）を通じて上りリンク割り当てをＵＥ１９０２へ送信する（ステップ１９７９）。
【０１７０】
測定制御は、測定報告をｅＮＢ１９６０ａへ送信する（ステップ１９８１）ようにＵＥ１９０２をトリガする。ＵＥ１９０２は、１つ以上のルール（例えば、システム情報、仕様など）に基づいて測定報告を送信する（ステップ１９８１）ようにトリガされる。測定報告および他の情報に基づいて、ｅＮＢ１９６０ａは、ＵＥ１９０２へのセルを変更することを決定する（ステップ１９８３）。他の情報の例は、無線リソース管理情報を含む。
【０１７１】
ｅＮＢ１９６０ａは、次に、接続要求メッセージをターゲットＳｅＮＢ１６６０ｂへ発する（ステップ１９８５）。接続要求メッセージは、測定報告および無線リソース管理情報に基づく。接続要求メッセージは、ターゲットＳｅＮＢ１９６０ｂが２次接続におけるハンドオーバを準備することを許可する必要情報を含む。例えば、接続要求メッセージは、ソースｅＮＢにおけるＵＥ１９０２のＣ−ＲＮＴＩ、ＱｏＳ情報などを含んだＲＲＣコンテキストを含む。ＵＥ  Ｘ２およびＵＥ  Ｓ１シグナリング参照のうちの１つ以上は、ターゲットＳｅＮＢ１９６０ｂがｅＮＢ１９６０ａおよびＥＰＣをアドレス指定することを可能にする。
【０１７２】
ターゲットＳｅＮＢ１９６０ｂは、受付制御を行う（ステップ１９８７）。いくつかの実装において、受付制御は、受信されたＱｏＳ情報に基づく。受付制御は、接続制御の成功の可能性を高めるために、リソースをターゲットＳｅＮＢ１７６０ｂによって付与できる場合に必要とされるＱｏＳが達成されるかどうかを評価する。いくつかの実装において、ターゲットＳｅＮＢ１９６０ｂは、受信されたＱｏＳ情報に従ってリソースを構成する。ターゲットｅＮＢ１９６０ｂは、またＣ−ＲＮＴＩ、セルおよび随意的に、ＲＡＣＨプリアンブル・アイデンティティのうちの少なくとも１つを予約する。
【０１７３】
ターゲットＳｅＮＢ１９６０ｂは、ｅＮＢ１７６０ａのＬ１（ＰＨＹ）およびＬ２（ＭＡＣ）エンティティのうちの１つ以上との２次接続におけるハンドオーバを準備して、接続要求ＡｃｋをｅＮＢ１９６０ａへ送信する（ステップ１９８９）。接続要求Ａｃｋは、２次接続においてハンドオーバを行うようにＵＥ１９０２に指示する（例えば、ＲＲＣ接続再構成メッセージにおける）接続制御メッセージとして（例えば、ｅＮＢ１９６０ａから）ＵＥ１９０２へ送信されることになる透過的なコンテナを含む。このコンテナは、新しいＣ−ＲＮＴＩ（例えば、第２のＣ−ＲＮＴＩ）、２次無線接続においてアクセスされることになるセル（例えば、ターゲットセル）の物理セル識別子、選択されるセキュリティ・アルゴリズムのターゲットＳｅＮＢ１９６０ｂセキュリティ・アルゴリズム識別子、および専用ＲＡＣＨプリアンブル・アイデンティティを含む。接続制御メッセージは、他のパラメータ（例えば、アクセス・パラメータ、システム情報ブロック（ＳＩＢ）など）も含んでよい。具体的には、接続制御メッセージは、専用ＲＡＣＨプリアンブル・アイデンティティが含まれていたか否かを示す。
【０１７４】
ｅＮＢ１９６０ａは、ＵＥ１９０２へ送信されることになるハンドオーバを行うためのＲＲＣ接続再構成メッセージ（例えば、接続制御情報を含んだＲＲＣＣｏｎｎｅｃｔｉｏｎＲｅｃｏｎｆｉｇｕｒａｔｉｏｎメッセージ）を生成する。（便宜上、図１９では「ＲＲＣ  Ｃｏｎｎ．Ｒｅｃｏｎｆ．」と略記される）接続制御メッセージをスケジュールする（ステップ１９９３）ために、ｅＮＢ１９６０ａは、下りリンク割り当てをＵＥ１９０２へ送信する（ステップ１９９１）。
【０１７５】
ＵＥ１９０２は、接続制御メッセージを含んだＲＲＣ接続再構成メッセージ（例えば、必要なパラメータ（２次無線接続のためのＣ−ＲＮＴＩ、ターゲットＳｅＮＢ１９６０ｂセキュリティ・アルゴリズム識別子、および随意的に専用ＲＡＣＨプリアンブル・アイデンティティ、ターゲットＳｅＮＢ１９６０ｂ  ＳＩＢなど）をもつＲＲＣＣｏｎｎｅｃｔｉｏｎＲｅｃｏｎｆｉｇｕｒａｔｉｏｎメッセージ）を受信する。ｅＮＢ１９６０ａは、次に、２次接続においてハンドオーバを行うようにＵＥ１９０２に命じるか、または指示する。
【０１７６】
接続制御メッセージ（例えば、ＲＲＣＣｏｎｎｅｃｔｉｏｎＲｅｃｏｎｆｉｇｕｒａｔｉｏｎメッセージに含まれる接続制御メッセージ）を受信した後、ＵＥ１９０２は、ターゲットＳｅＮＢ１９６０ｂと同期して（ステップ１９９５）（例えば、同期信号を得て）、ＲＡＣＨを通じてターゲットセルにアクセスする（例えば、ランダムアクセス手順を行う）。ＵＥ１９０２は、専用ＲＡＣＨプリアンブルが接続制御情報中に示された（例えば、専用ＲＡＣＨプリアンブル・アイデンティティが接続制御メッセージに含まれた）場合、競合のないランダムアクセス手順（例えば、非競合ベースのランダムアクセス手順）に従ってターゲットセルにアクセスする。これに対して、ＵＥ１９０２は、専用プリアンブルが何も指示されなかった場合、競合ベースのランダムアクセス手順に従ってターゲットセルにアクセスする。いくつかの実装において、ＵＥ１９０２は、ターゲットＳｅＮＢ１９６０ｂの固有鍵を導出して、ターゲットセルで用いられることになる選択されたセキュリティ・アルゴリズムを構成する。
【０１７７】
いくつかの実装において、ターゲットＳｅＮＢ１９６０ｂは、上りリンク割り当ておよびタイミングアドバンスをＵＥ１９０２へ送信する（ステップ１９９７）ことによりランダムアクセスに応答する。次に、ＵＥ１９０２がターゲットセルに首尾よくアクセスしたとき、ＵＥ１９０２は、接続の追加を確認するために、第２のＣ−ＲＮＴＩを含むＲＲＣ接続再構成完了メッセージ（例えば、ＲＲＣＣｏｎｎｅｃｔｉｏｎＲｅｃｏｎｆｉｇｕｒａｔｉｏｎＣｏｍｐｌｅｔｅメッセージ）を送信する（ステップ１９９９）。ＵＥ１９０２は、また、接続追加手順がＵＥ１９０２で完了したことを示すために、上りリンクバッファ状況報告をターゲットＳｅＮＢ１９６０ｂへ送信する。ターゲットＳｅＮＢ１９６０ｂは、ＲＲＣ接続再構成完了メッセージ（例えば、ＲＲＣＣｏｎｎｅｃｔｉｏｎＲｅｃｏｎｆｉｇｕｒａｔｉｏｎＣｏｍｐｌｅｔｅメッセージ）で送信された第２のＣ−ＲＮＴＩを検証する。ターゲットＳｅＮＢ１９６０ｂは、次に、ＵＥ１９０２へデータを送信し始める。
【０１７８】
留意すべきは、方法の異なるステップには異なるレベルのシグナリングが用いられることである。例えば、測定制御を送信するステップ１９７７、測定報告を送信するステップ１９８１、接続要求を送信するステップ１９８５、接続要求確認応答メッセージを送信するステップ１９８９、接続制御メッセージを送信するステップ１９９３、およびＲＲＣ接続再構成完了メッセージを送信するステップ１９９９のうちの１つ以上は、Ｌ３シグナリングを用いて行われる。これに対して、上りリンク割り当てを送信するステップ１９７９、下りリンク割り当て送信するステップ１９９１、同期するステップ１９９５、ならびに上りリンク割り当ておよびタイミングアドバンスを送信するステップ１９９７のうちの１つ以上は、Ｌ１およびＬ２シグナリングのうちの１つ以上を用いて行われる。
【０１７９】
留意すべきは、図１８および１９において、同様の接続制御情報が用いられることである。この接続制御情報は、単一の接続のためのハンドオーバに用いられるモビリティ制御情報と同様の構造を有する。この接続制御情報は、ＳｅＮＢ内ハンドオーバ（例えば、ＳｅＮＢにおけるセル変更）および自己ハンドオーバ（例えば、同じセルへのハンドオーバ）にも用いられる。
【０１８０】
図１９では、接続制御メッセージの代わりに、ハンドオーバ・コマンド（すなわち、ＭｏｂｉｌｉｔｙＣｏｎｔｒｏｌＩｎｆｏ）が用いられる。２次無線接続におけるハンドオーバ・コマンドは、１次無線接続において用いられるＲＲＣ接続再構成メッセージとは区別される、２次ＲＲＣ接続再構成メッセージに含められる。２次無線接続が追加された後、２次ＲＲＣ接続再構成メッセージは、２次無線接続のパラメータを設定／再設定するために用いられる。次に、２次ＲＲＣ接続再構成メッセージへの確認応答として２次ＲＲＣ接続再構成完了メッセージがＵＥ１０２からターゲットＳｅＮＢへ送信される。２次ＲＲＣ接続再構成完了メッセージは、１次無線接続において用いられるＲＲＣ接続再構成完了メッセージとは区別される。
【０１８１】
図２０は、ＵＥ２００２において利用される様々なコンポーネントを示す。図２０に関連して記載されるＵＥ２００２は、図１に関連して記載されたＵＥ１０２に従って実装される。ＵＥ２００２は、ＵＥ２００２のオペレーションを制御するプロセッサ２００４を含む。プロセッサ２００４は、中央処理装置（ＣＰＵ：ｃｅｎｔｒａｌ  ｐｒｏｃｅｓｓｉｎｇ  ｕｎｉｔ）とも呼ばれる。メモリ２０１０は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ２００４に命令２００６ａおよびデータ２００８ａを供給する。メモリ２０１０の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令２００６ｂおよびデータ２００８ｂは、プロセッサ２００４にも存在する。プロセッサ２００４に読み込まれた命令２００６ｂおよび／またはデータ２００８ｂは、プロセッサ２００４による実行または処理のために読み込まれた、メモリ２０１０からの命令２００６ａおよび／またはデータ２００８ａも含む。命令２００６ｂは、上記の方法および手順２００、６００、１８００および１９００のうちの１つ以上を実装するためにプロセッサ２００４によって実行される。
【０１８２】
ＵＥ２００２は、データの送受信を可能にするための１つ以上の送信機２０５８および１つ以上の受信機２０２０が入った筺体も含む。送信機（単数または複数）２０５８および受信機（単数または複数）２０２０は、１つ以上のトランシーバ２０１８に組み合わされてもよい。１つ以上のアンテナ２０２２ａ〜ｎは、筺体に取り付けられて、トランシーバ２０１８に電気的に結合される。
【０１８３】
ＵＥ２００２の様々なコンポーネントは、データバスに加えて、電力バス、制御信号バスおよびステータス信号バスを含む、バスシステム２０１４によって結合される。しかしながら、明確さのために、図２０では様々なバスがバスシステム２０１４として示される。ＵＥ２００２は、信号処理用のデジタル信号プロセッサ（ＤＳＰ：ｄｉｇｉｔａｌ  ｓｉｇｎａｌ  ｐｒｏｃｅｓｓｏｒ）２０１２も含んでよい。ＵＥ２００２は、ＵＥ２００２の機能へのユーザ・アクセスを提供する通信インターフェース２０１６も含む。図２０に示されるＵＥ２００２は、具体的なコンポーネントのリスティングではなく、機能ブロック図である。
【０１８４】
図２１は、ｅＮＢ２１６０において利用される様々なコンポーネントを示す。図２１に関連して記載されるｅＮＢ２１６０は、図１に関連して記載されたｅＮＢ１６０に従って実装される。ｅＮＢ２１６０は、ｅＮＢ２１６０のオペレーションを制御するプロセッサ２１０４を含む。プロセッサ２１０４は、中央処理装置（ＣＰＵ）とも呼ばれる。メモリ２１１０は、リードオンリメモリ（ＲＯＭ）、ランダムアクセスメモリ（ＲＡＭ）、これら２つの組み合わせ、あるいは情報を記憶する任意のタイプのデバイスを含み、プロセッサ２１０４に命令２１０６ａおよびデータ２１０８ａを供給する。メモリ２１１０の一部分は、不揮発性ランダムアクセスメモリ（ＮＶＲＡＭ）も含んでよい。命令２１０６ｂおよびデータ２１０８ｂは、プロセッサ２１０４にも存在する。プロセッサ２１０４に読み込まれた命令２１０６ｂおよび／またはデータ２１０８ｂは、プロセッサ２１０４による実行または処理のために読み込まれた、メモリ２１１０からの命令２１０６ａおよび／またはデータ２１０８ａも含む。命令２１０６ｂは、上記の方法および手順３００、７００、１８００および１９００の１つ以上を実装するためにプロセッサ２１０４によって実行される。
【０１８５】
ｅＮＢ２１６０は、データの送受信を可能にするための１つ以上の送信機２１１７および１つ以上の受信機２１７８が入った筺体も含む。送信機（単数または複数）２１１７および受信機（単数または複数）２１７８は、１つ以上のトランシーバ２１７６に組み合わされてもよい。１つ以上のアンテナ２１８０ａ〜ｎは、筺体に取り付けられて、トランシーバ２１７６に電気的に結合される。
【０１８６】
ｅＮＢ２１６０の様々なコンポーネントは、データバスに加えて、電力バス、制御信号バスおよびステータス信号バスを含む、バスシステム２１１４によって結合される。しかしながら、明確さのために、図２１では様々なバスがバスシステム２１１４として示される。ｅＮＢ２１６０は、信号処理用のデジタル信号プロセッサ（ＤＳＰ）２１１２も含んでよい。ｅＮＢ２１６０は、ｅＮＢ２１６０の機能へのユーザ・アクセスを提供する通信インターフェース２１１６も含む。図２１に示されるｅＮＢ２１６０は、具体的なコンポーネントのリスティングではなく、機能ブロック図である。
【０１８７】
図２２は、複数の無線接続を確立するためのシステムおよび方法が実装されたＵＥ２２０２の一構成を示すブロック図である。ＵＥ２２０２は、送信手段２２５８、受信手段２２２０および制御手段２２２４を含む。送信手段２２５８、受信手段２２２０および制御手段２２２４は、上の図２、６、１８および１９に関連して記載された機能の１つ以上を行うように構成される。上の図２０は、図２２の具体的な装置構造の一例を示す。図２、６、１８および１９の機能の１つ以上を実現するために他の様々な構造が実装されてもよい。例えば、ＤＳＰがソフトウェアによって実現されてもよい。
【０１８８】
図２３は、複数の無線接続を確立するためのシステムおよび方法が実装されたｅＮＢ２３６０の一構成を示すブロック図である。ｅＮＢ２３６０は、送信手段２３１７、受信手段２３７８および制御手段２３８２を含む。送信手段２３１７、受信手段２３７８および制御手段２３８２は、上の図３、７、１８および１９に関連して記載された機能の１つ以上を行うように構成される。上の図２１は、図２３の具体的な装置構造の一例を示す。図３、７、１８および１９の機能の１つ以上を実現するために他の様々な構造が実装されてもよい。例えば、ＤＳＰがソフトウェアによって実現されてもよい。
【０１８９】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１９０】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１９１】
本明細書に開示される方法のそれぞれは、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特定のステップおよび／または動作の順序および／または使用は、特許請求の範囲から逸脱することなく修正されてもよい。
【０１９２】
当然のことながら、特許請求の範囲は、先に示された通りの構成および構成要素には限定されない。特許請求の範囲から逸脱することなく、本明細書に記載される配置、オペレーション、ならびにシステム、方法および装置の詳細に様々な修正、変更および変形がなされてもよい。
【図１】
2016519875.tif 000006
【図２】
2016519875.tif 000007
【図３】
2016519875.tif 000008
【図４】
2016519875.tif 000009
【図５】
2016519875.tif 000010
【図６】
2016519875.tif 000011
【図７】
2016519875.tif 000012
【図８】
2016519875.tif 000013
【図９】
2016519875.tif 000014
【図１０】
2016519875.tif 000015
【図１１】
2016519875.tif 000016
【図１２】
2016519875.tif 000017
【図１３】
2016519875.tif 000018
【図１４】
2016519875.tif 000019
【図１５】
2016519875.tif 000020
【図１６】
2016519875.tif 000021
【図１７】
2016519875.tif 000022
【図１８】
2016519875.tif 000023
【図１９】
2016519875.tif 000024
【図２０】
2016519875.tif 000025
【図２１】
2016519875.tif 000026
【図２２】
2016519875.tif 000027
【図２３】
2016519875.tif 000028
【国際調査報告】
2016519875.tif 000029
2016519875.tif 000030
2016519875.tif 000031
2016519875.tif 000032